(57)【要約】  水生動物を含む装置１０２から水生動物を抜き取る方法。本装置は、開いた端部１０２ａを有する本体と、実質的に閉じた端部１０２ｂと、開いた端部と実質的に閉じた端部の間の一つ以上の側壁１０２ｃを備える。一つ以上の側壁の少なくとも大部分はフレキシブルな膜の形式であり、その一つ以上の側壁の少なくとも大部分と実質的に閉じた端部は実質的に水を通さない。この方法は、装置の開いた端部１０２ａが装置の実質的に閉じた端部１０２ｂより高く位置するように当該装置を配置する工程と、実質的に閉じた端部に近い装置の内側領域に液体の流れを導く工程と、装置に含まれる水生動物を装置の開いた端部１０２ａから輸送するために、導かれた液体の流れを用いる工程と、を含む。
2018527006.tif 000002
【特許請求の範囲】
【請求項１】
水生動物を含んでいる装置から水生動物を抜き取る方法であって、その装置は、開いた端部を有する本体と、実質的に閉じた端部と、開いた端部と実質的に閉じた端部の間の一つ以上の側壁と、を備え、少なくとも一つ以上の側壁の大部分はフレキシブルな膜を備え、また、少なくとも一つ以上の側壁の大部分と実質的に閉じた端部は実質的に水を通さず、
装置の開いた端部が実質的に閉じた端部より高く位置するように当該装置を配置する工程と、
実質的に閉じた端部に近い装置の内側領域に液体の流れを導く工程と、
装置に含まれる水生動物を装置の開いた端部から輸送するために、導かれた液体の流れを用いる工程と、を備える水生動物抜き取り方法。
【請求項２】
前記装置は、チャネルインレットとチャネルアウトレットを有するチャネルを定めるバッフルを備え、そのチャネルアウトレットは装置本体の実質的に閉じた端部に近くであり、
前記チャネルインレットを介して液体をチャネルに導入し、それによりチャネルに沿って液体の流れを引き起こす工程を備え、
実質的に閉じた端部に近い装置の内側領域への液体の流れは前記チャネルアウトレットを経由して提供される請求項１に記載の方法。
【請求項３】
前記チャネルインレットは、装置本体の開いた端部の近くに配置される請求項２に記載の方法。
【請求項４】
前記チャネルは、細長いチャネルであり、少なくとも装置本体の主要な長さに沿って伸びている請求項３に記載の方法。
【請求項５】
前記液体は、ポンプから水を前記チャネルインレットにポンピングすることにより前記チャネルインレットに導入される請求項２乃至４の何れか１項に記載の方法。
【請求項６】
前記チャネルインレットは装置本体の内部に配置される請求項５に記載の方法。
【請求項７】
前記チャネルインレットは装置本体の開いた端部内に配置される請求項６に記載の方法。
【請求項８】
装置本体の開いた端部を通して、ポンプからのアウトレットを前記チャネルインレットに挿入する工程および／またはポンプからのアウトレットをチャネルインレットに連結する工程を備える請求項７に記載の方法。
【請求項９】
前記チャネルインレットは、装置の唯一の側壁に、または装置の二つ以上の側壁の一つに備え付けられる請求項５に記載の方法。
【請求項１０】
装置の一の側方から、ポンプからのアウトレットを前記チャネルインレットに挿入する工程および／またはポンプからのアウトレットを装置の前記チャネルインレットに連結する工程を備える場合がある請求項９に記載の方法。
【請求項１１】
水生動物の抽出速度を変化させるため、または抜き取られる水生動物のタイプを制御するために、前記チャネルに流れ込む液体の速度を変化させる工程を備える請求項２乃至１０の何れか１項に記載の方法。
【請求項１２】
実質的に閉じた端部に近い装置の内側領域に導入される液体の流れは、装置の内容物に正圧を印加し、装置の実質的に閉じた端部から開いた端部に向かう液体の最終的な流れを生じさせる請求項１乃至１１の何れか１項に記載の方法。
【請求項１３】
前記装置を配置する工程は、当該装置を実質的に直立した構成に配置する工程を備える請求項１乃至１２の何れか１項に記載の方法。
【請求項１４】
装置の動きを減らすために、装置内に液体の流れを導くのに先立って、装置または装置の一部を固定または拘束する工程を備える請求項１乃至１３の何れか１項に記載の装置。
【請求項１５】
水生動物を収穫する方法であって、
開いた端部を有する本体と、実質的に閉じた端部と、開いた端部と実質的に閉じた端部の間の一つ以上の側壁と、を備える装置を提供する工程を備え、少なくとも一つ以上の側壁の大部分はフレキシブルな膜を備え、かつ、少なくとも一つ以上の側壁の大部分および実質的に閉じた端部は実質的に水を通さず、当該装置は水生動物を収穫するための装置のコッドエンド部分を少なくとも形成し、
収穫装置を水の本体に浸漬し、収穫装置に関して相対的な水流が生ずるように前記収穫装置を位置決めし、および／または移動させる工程と、
装置内の水生動物のために緩慢な低流速の環境を提供しつつ、収穫装置内の水生動物を捕獲する工程と、
水溜りの中で、装置のコッドエンド部分内に水生動物を維持しながら収穫装置を持ち上げる工程と、
次いで、請求項１乃至１４の何れか１項に記載の方法を用いて動物を抜き取る工程と、
を備える水生動物収穫方法。
【請求項１６】
請求項１乃至１５の何れかに記載の方法と共に用いる装置であって、
開いた端部を有する本体と、実質的に閉じた端部と、開いた端部と実質的に閉じた端部の間の一つ以上の側壁と、
チャネルインレットとチャネルアウトレットを有するチャネルを定めるバッフルと、を備え、前記チャネルアウトレットは前記チャネルインレットより、装置本体の実質的に閉じた端部のより近くに配置される装置。
【請求項１７】
少なくともバッフルの大部分は実質的に水を通さないフレキシブルな膜を備える請求項１６に記載の装置。
【請求項１８】
前記バッフルは、装置本体の内部に配置される請求項１６または１７に記載の装置。
【請求項１９】
前記バッフルは、前記本体の一つ以上の壁に固定される請求項１６または１７に記載の装置。
【請求項２０】
前記バッフルは、膨張状態と潰れた状態との間で移動可能である請求項１６乃至１９の何れか１項に記載の装置。
【請求項２１】
前記チャネルの断面積は、バッフルが潰れた状態にある場合よりバッフルが膨張状態にある場合の方が大きい請求項２０に記載の装置。
【請求項２２】
前記潰れた状態において、前記バッフルは、本体の一つ以上の側壁の夫々に対向して配置される請求項２０または２１に記載の装置。
【請求項２３】
前記膨張状態では前記バッフルが本体の一以上の側壁の夫々に対して凹であり、また、前記潰れた状態では前記バッフルが本体の一以上の側壁の夫々に対して凸である請求項２０乃至２２の何れか１項に記載の装置。
【請求項２４】
前記バッフルは、当該バッフルが膨張状態から潰れた状態まで動作するのを助けるために複数の開口または水を通す部分を備えている請求項２０乃至２３の何れか１項に記載の装置。
【請求項２５】
前記バッフルおよび／または前記チャネルは、前記チャネルアウトレットにおいて、またはそこに向けて内向きのテーパ状となっている請求項１６乃至２４の何れか１項に記載の装置。
【請求項２６】
前記チャネルアウトレットに近いテーパ部分は、膨張状態のバッフルを維持するためにチャネル内の逆圧を増加させるように構成されている請求項２５に記載の装置。
【請求項２７】
前記チャネルインレットは、装置本体の内部に備え付けられる請求項１６乃至２６の何れか１項に記載の装置。
【請求項２８】
前記チャネルインレットは、装置本体の開いた端部の中に備え付けられる請求項２７に記載の装置。
【請求項２９】
前記チャネルインレットは、装置の側部に備え付けられる請求項１６乃至２６の何れか１項に記載の装置。
【請求項３０】
前記チャネルインレットは、ポンプアウトレットを受け、またはそこに接続するために構成される請求項１６乃至２９の何れか１項に記載の装置。
【請求項３１】
装置本体に取り付けられる細長い引き伸ばし部を更に備え、当該引き伸ばし部は、先端と、追従端と、先端と追従端の間の一つ以上の側壁とを有し、一つ以上の側壁の少なくとも大部分は、実質的に水通さないフレキシブルな膜を備え、かつ、前記引き伸ばし部の追従端は、装置本体の開いた端部に有効に接続している請求項１６乃至３０の何れか１項に記載の装置。
【請求項３２】
前記長い引き伸ばし部は、装置が水の本体に浸漬され、装置について相対的な水の流れが存在する場合に、当該細長い引き伸ばし部の先端から装置本体の実質的に閉じた端部に向かって装置内部に水の流速の一般的な減少を引き起こすために、装置の内部から装置の外側に水を通過させるための複数の逃げ口を有する請求項３１に記載の装置。
【発明の詳細な説明】
【技術分野】
【０００１】
本発明は、水生動物を水生動物収穫装置または輸送装置から抜き取る方法に関する。
【背景技術】
【０００２】
釣りおよび底引き網漁のネットのような水生動物収穫装置は、伝統的に、ボートのような曳航船によって水中で引かれるネットを備える。このネットは、マウス、引き伸ばし部、および後曳される「コッドエンド」を備える。伝統的なネットが水から引き上げられてボート上に乗せられる際には、そのネットが船のデッキより上に持ち上げられなければならない。水生動物はしばしば互いに押しつけられ、水がネットから流れ落ちるのに伴ってボートのエッジがその捕獲物にダメージを与える。
【０００３】
この組織の損傷は、捕えられた生物体の有用性および価値を制限し得る。水生動物の互いによる衝撃は、捕獲生物に対するストレスをも引き起こす。このストレスは、自己分解の損傷を引き起こして捕獲物の品質を低下させるため、望ましいものではない。食肉加工においては、屠殺前の動物へのストレスを最小化することで肉質が改善されることが知られている。その損傷は、望まれない生物が海に戻り、または生命を維持した場合に、その生き残りについても負の影響を及ぼす。
【０００４】
更に、船のデッキの上方に底引き網ネットの全体と捕獲物を持ち上げるためには重いリフティング油圧システムが必要であり、その油圧システムのサイズと船のサイズは、乗船させ得る捕獲物のサイズを制限する。また、船の甲板上方にこのような大きな重量を持ち上げる行為は、特にサイドリフティングの船において、多くの安全危害に結びつき、かつ、船の安定性上の問題を引き起こす可能性を生じさせる。現在のコッドエンドのサイズは、バッグを持ち上げて収穫内容を処理するための船の能力により制限されている。
【０００５】
加えて、捕獲物が伝統的なネットの中で船上に運び込まれた際、或いはそのソートのために船上で積み重ねられた状態にされている際には、その捕獲物が露出状態となる。捕獲物の破片は、鳥、アザラシ、アシカ、サメおよびオットセイのような捕食動物およびスカベンジャーを引きつける。
【０００６】
いくつかのアレンジメントでは、水中の底引き網から船まで動物を吸い上げるために、吸い上げポンプが用いられる。このような吸引システムは、負の吸引圧力に適合するためのあらゆる配管の剛性のために通常は扱いにくく、正しく水面下に配置して操作するのが困難であり、また、その複雑さのために機械故障の影響を受けやすい。吸引フィッシュポンプは、表面近く、または真空の中断を生じさせることのあるあらゆる状態下で、使用に適していないという面も有している。
【０００７】
加えて、吸引システムは、いくつかの点で捕獲した動物に損害を与え得る。例えば、動物は、配管やバルブのような機械部品との接触により、また、他の魚との密接な接触により損傷を受け得る。高い吸引力は出血を引き起こすこともある。吸引システムは、魚が水流およびパイプに対して軸方向に現れることを必要としており、例えばエイ、シャーク、ドッグフィッシュ、フグなどの混在種をポンピングする際には閉塞の影響を受けやすい。従って、水生動物の品質を改良するために、水生動物に対する物理的損傷と除去処理の過程で誘導されるストレスの双方を最小化しつつ、水生動物の収穫または搬送装置から、水生動物を取り除くことのできる装置および方法が必要である。
【発明の概要】
【発明が解決しようとする課題】
【０００８】
特許明細書、他の外部文書または他の情報源への参照がなされてきたこの明細書において、これは概して、本発明の特徴を説明するためのコンテキストを提供することを目的とする。そうでないことが特に述べられない限り、このような外部文書またはこのような情報源の参照は、このようなその文書またはこのような情報源が、いかなる管轄権においても、従来技術であるかまたは従来技術において公知の一般知識の一部をなすものであることを認めたものとして解釈されるべきではない。
【０００９】
少なくとも本発明の好ましい実施形態の目的は、上述した短所の少なくとも１つに対処する、水生動物の輸送または収穫装置から水生動物を抜き取る方法を提供することである。少なくとも本発明の好ましい実施形態の更なる、或いは他の目的は、水生動物を抜き取る上記の方法の用に供する装置を提供することである。少なくとも本発明の好ましい実施形態の更なる、或いは他の目的は、少なくとも有用な選択を公衆に提供することである。
【課題を解決するための手段】
【００１０】
第１の態様において、本発明は、水生動物を含んでいる装置から水生動物を抜き取る方法に広く存在する。その装置は、開いた端部を有する本体と、実質的に閉じた端部と、開いた端部と実質的に閉じた端部の間の一つ以上の側壁と、を備える。少なくとも一つ以上の側壁の大部分はフレキシブルな膜を備え、また、少なくとも一つ以上の側壁の大部分と実質的に閉じた端部は実質的に水を通さない。その方法は、装置の開いた端部が実質的に閉じた端部よりより高く位置するように当該装置を配置する工程と、実質的に閉じた端部に近い装置の内側領域に液体の流れを導く工程と、装置に含まれる水生動物を装置の開いた端部から輸送するために導かれた液体の流れを用いる工程と、を備える。
【００１１】
この装置は、チャネルインレットとチャネルアウトレットを有するチャネルを定めるバッフルを備え、そのチャネルアウトレットは装置本体の実質的に閉じた端部に近い場合がある。その方法は、チャネルインレットを介して液体をチャネルに導入する工程を含み、それによりチャネルに沿って液体の流れが引き起こされ、実質的に閉じた端部に近い装置の内側領域への液体の流れはチャネルアウトレットを経由して提供される場合がある。
【００１２】
チャネルインレットは、装置本体の開いた端部の近くに配置される場合がある。このチャネルは、細長いチャネルである場合があり、少なくとも装置本体の主要な長さに沿って伸びる場合がある。
【００１３】
液体は、ポンプ（例えばプロペラタイプポンプ）から水をチャネルインレットにポンピングすることによりチャネルインレットに導入される場合がある。水は、海または船上の給水設備のような他のソースからポンプで装置に汲み出される場合がある。汲み出された水は、冷やされ、または他の処理に付される場合がある。
【００１４】
一の実施形態において、チャネルインレットは装置本体の内部に、例えば装置本体の開いた端部内に配置される場合がある。その方法は、装置本体の開いた端部を通して、ポンプからのアウトレットをチャネルインレットに挿入する工程および／またはポンプからのアウトレットをチャネルインレットに連結する工程を備える場合がある。
【００１５】
代替の実施形態において、チャネルインレットは、装置に唯一の、または装置の一つの側壁に、例えば、当該側壁の開口を通して提供される。その方法は、装置の一の側方から、ポンプからのアウトレットをチャネルインレットに挿入する工程および／またはポンプからのアウトレットをチャネルインレットに連結する工程を備える場合がある。
【００１６】
一つの実施形態において、実質的に閉じた端部に近い装置の内側領域に導入される液体の流れは、装置の内容物に正圧を印加し、装置の実質的に閉じた端部から開いた端部に向かう液体の最終的な流れを生じさせる。その最終的な流れは、少なくとも、装置に含まれる水生動物のいくらかを装置の開いた端部に向かわせ、かつそこから外へ輸送するのに都合よく充分である。
【００１７】
その方法は、水生動物の抽出速度を変化させるため、または抜き取られる水生動物のタイプを制御するために、チャネルに流れ込む液体の速度を変化させる工程を備える場合がある。その流れの速度は、コントローラを経由して、例えば所定の流れ速度に、またはシーケンスに手動または自動で変更される場合がある。
【００１８】
その方法の一の実施形態は、装置を実質的に直立した構成に配置する工程を備える。一の実施形態において、装置の実質的に閉じた端部は、水生動物が抜き取られる間、水の本体の中に残される。
【００１９】
その方法の一の実施形態は、装置に含まれる水生動物を装置の開いた端部から輸送するために導かれた液体の流れを用いた後に、装置の中に残留しているあらゆる水生動物の少なくともいくらかを空にする工程を備える。その方法の一の実施形態は、残留するあらゆる水生動物の少なくとも一部を装置の開いた端部から排出するために装置の実質的に閉じた端部を持ち上げる工程を備える。その方法の代替の実施形態は、装置の開いた端部から残留するあらゆる水生動物の少なくとも一部を排出するために、少なくとも装置の実質的に閉じた端部を反転させる工程を含む。
【００２０】
その方法は、装置の動きを減らすために、装置内に液体の流れを導くのに先立って、装置または装置の一部を固定または拘束する工程を備える場合がある。例えば、その方法は、装置または装置の一部を海洋船に対して固定または拘束する工程を備える場合がある。一の実施形態において、装置本体は、シュートまたはクレイドルによって拘束される。
【００２１】
装置からの水生動物は、例えば選別および処理のために、海洋船または他の施設に抜き取られる場合がある。抜き取られた動物は過小または幼少の動物を除去するために選別用の格子またはグリル上に受け渡される場合がある。
【００２２】
一の実施形態において、装置本体および実質的に閉じた端部は、実質的に水を浸透させることがない。しかしながら、代替としては、実質的に閉じた端部および／または本体は、装置が持ち上げられるに連れて、および／または液体がポンプによって装置内に圧送されるに連れて、いくらかの液体が縫い目および／または開口から漏れ出すように、水を通す縫い目、開口、フラップおよび／または排水孔有する場合がある。本体の開口は、装置から巻き込まれた空気を抜き取るように構成される場合がある。
【００２３】
一の実施形態において、その方法は、水生動物を収穫する方法の一部をなす。その方法は、開いた端部を有する本体と、実質的に閉じた端部と、開いた端部と実質的に閉じた端部の間の一つ以上の側壁と、を備える装置を提供する工程を備え、少なくとも一つ以上の側壁の大部分はフレキシブルな膜を備え、かつ、少なくとも一つ以上の側壁の大部分および実質的に閉じた端部は実質的に水を通さず、当該装置は水生動物を収穫するための装置のコッドエンド部分を少なくとも形成する。その方法は、収穫装置を水の本体に浸漬し、収穫装置に関して相対的な水流が生ずるように前記収穫装置を位置決めし、および／または移動させる工程と、装置内の水生動物のために緩慢な低流速の環境を提供しつつ、収穫装置内の水生動物を捕獲する工程と、水溜りの中で、装置のコッドエンド部分内に水生動物を維持しながら収穫装置を持ち上げる工程と、次いで、第１の態様と関連して上述したように、その動物を抜き取る工程と、を備える場合がある
【００２４】
第２の態様において、本発明は、上記の方法を用いる装置に広く存在している。その装置は、開いた端部を有する本体と、実質的に閉じた端部と、開いた端部と実質的に閉じた端部の間の一つ以上の側壁と、を備える。少なくとも一つ以上の側壁の大部分はフレキシブルな膜を備えており、一つ以上の側壁の少なくとも大部分および実質的に閉じた端部は実質的に水を通さない。その装置は、チャネルインレットとチャネルアウトレットを有するチャネルを定めるバッフルを更に備え、チャネルアウトレットはチャネルインレットより、装置本体の実質的に閉じた端部のより近くに配置される。
【００２５】
少なくともバッフルの大部分は実質的に水を通さないフレキシブルな膜を備える場合がある。
【００２６】
そのバッフルは、装置本体の内部または装置本体の外部に配置される場合がある。そのバッフルは、例えばバッフルの二つのエッジに沿って、本体の壁の一つ以上に取り付けられる場合がある。
【００２７】
一つの実施形態において、バッフルは、膨張状態と潰れた状態との間で移動可能である。一つの実施形態において、チャネルの断面積は、バッフルが潰れた状態にある場合よりバッフルが膨張状態にある場合の方が大きい。潰れた状態において、バッフルは、本体の一つ以上の側壁の夫々に対向して配置される場合がある。例えば、バッフルの表面は、本体の一つ以上の側壁の夫々と同一平面である場合がある。
【００２８】
一の実施形態において、バッフルおよび／またはチャネルはチャネルアウトレットに近いバッフルの端またはチャネルでテーパ状となっている。チャネルは、好ましくは細長いチャネルであり、かつ、好ましくは少なくとも装置本体の主要な長さに沿って伸びている。しかしながら、チャネルの長さは変化する場合がある。
【００２９】
その装置は、単一のバッフルおよびチャネル、または複数のバッフルおよび／またはチャネルを備える場合がある。単一のまたは各チャネルは、単一のアウトレットを有する場合があり、または、例えば、バッフルに沿って長手方向に間隔を置かれて配置される複数のアウトレットを有する場合がある。
【００３０】
一の実施形態において、膨張状態ではバッフルが本体側壁の夫々に対して凹であり、また、潰れた状態ではバッフルが本体側壁の夫々に対して凸である。一の実施形態において、バッフルが膨張状態から潰れた状態まで動作するのを助けるために、バッフルは複数の開口または水を通す部分を備えている。
【００３１】
バッフルおよび／またはチャネルは、チャネルアウトレットにおいて、または、そこに向けて内向きのテーパ状となっている場合がある。例えば、チャネルに沿って、チャネルの中間点に比べてそのテーパによりチャネルの断面は減少する。チャネルアウトレットに近いテーパ部分は、膨張状態のバッフルを維持するためにチャネルの逆圧を増加させるように構成される場合がある。
【００３２】
チャネルインレットは、装置本体の内部に、例えば装置本体の開いた端部の中に提供される場合がある。あるいは、チャネルインレットは、装置の側部に、例えば、装置本体の壁の開口を通して提供される場合がある。チャネルインレットは、好ましくは、ポンプアウトレットを受け、またはそこに接続するために構成される。
【００３３】
その装置は、装置本体に取り付けられる細長い引き伸ばし部を更に備える場合がある。この引き伸ばし部は、先端と、追従端と、先端と追従端の間の一つ以上の側壁とを有し、一つ以上の側壁の少なくとも大部分は、実質的に水を通さないフレキシブルな膜を備える。引き伸ばし部の追従端は、装置本体の開いた端部に有効に接続している。細長い引き伸ばし部は、装置が水の本体に浸漬され、装置について相対的な水の流れが存在する場合に、細長い引き伸ばし部の先端から装置本体の実質的に閉じた端部に向かって装置内部に水の流速の一般的な減少を引き起こすために、装置の内部から装置の外側に水を通過させるための複数の逃げ口を有する場合がある。
【００３４】
いくつかの実施形態において、その装置は、水生動物を収穫する装置、例えば底引き網装置である。あるいは、その装置は、例えば水生動物を輸送する装置である場合がある。
【００３５】
この明細書および請求項において用いられる「備えている」との用語は、「部分的に少なくとも存在していること」を意味する。この明細書および「備えている」という用語を含む請求項の記載を解釈する際には、各記載のこの用語で始められる特徴とは別の他の特徴が存在することもできる。「備える」のような関連用語は、同様の方法で解釈されるものとする。
【００３６】
本願明細書において開示される数の範囲の参照（例えば、１〜１０）は、その範囲内にすべての有理数の参照（例えば、１、１．１、２、３、３．９、４、５、６、６．５、７、８、９および１０）も、更に、その範囲内の有理数のいかなる範囲（例えば、２〜８、１．５〜５．５および３．１〜４．７）も組み込み、そして従って、本願明細書に明示されるすべての範囲のすべてのサブレンジがここに明示されることが意図されている。これらは、特に意図されることの例に過ぎず、列挙された最も低い値と最も高い値の間の数値のすべての可能な組み合わせが、同様の方法で本出願において明確に述べられていると考えられるものとする。
【００３７】
本発明は、概して、個々にまたは集合的に本出願の明細書中に参照または示される部分、要素および特徴、並びにそれら部分、要素および特徴のあらゆる二つ以上の組み合わせの何れかまたは全てに存在すると言及される場合もある。
【００３８】
本発明に関する当業者に対して、数多くの構造の変化並びに大きく異なる実施形態および本発明の応用は、添付の特許請求の範囲に記載の本発明の要旨を逸脱しない範囲でそれ自身を示唆している。本願明細書の開示および説明は純粋に例示であり、かつ、いかなる意味においても制限的なことを目的とするものではない。本発明が関連する周知の等価物を有する特定の整数が本願明細書において言及されている場合、そのような周知の等価物はあたかも個々に記載されているかのように本願明細書に組み込まれたものとみなされる。
【００３９】
本明細書で用いている名詞後の（ｓ）という用語は、その名詞の複数および／または単数形を意味する。
【００４０】
本明細書で用いている用語「および／または」は「および」または「または」、あるいは文脈が許す場合にはそれらの双方を意味する。
【００４１】
本発明は、先に述べたものの中に存在しておりかつ、以下に例としてのみ提示する構造を更に想定している。
【図面の簡単な説明】
【００４２】
以下、下記内容の添付図面を参照して例示としてのみ、本発明について説明する。
【図１】水生動物収穫装置の後方上部からの斜視図である。
【図２】図１の収穫装置の側面図である。
【図３】図３は、収穫装置の例示的な寸法を示している図２の側面図である。
【図４】図１乃至図３の収穫装置の分解側面図である。
【図５】図１乃至図４の収穫装置におけるエントリコーンおよび先導する引き伸ばし部モジュールについての補強を示す部分透視図である。
【図６】図５のエントリコーンおよび先導する引き伸ばし部モジュールにおける補強上の接続ループを示す部分分解立体図である。
【図７】図６および図５のエントリコーンと先導する引き伸ばし部モジュールの間の接続を示す拡大部分透視図である。
【図８】引き伸ばし部のエントリコーンを形成して引き伸ばし部モジュールに接続するための補強ブランクを示す。
【図９】図８の詳細Ａの拡大である。
【図１０】一部の逃げ口モジュール上の各種逃げ口の例示的な形を模式的に示した斜視図である。
【図１１】収穫装置の内圧の結果として使用の間に開いた曲線的なスリットの逃げ口を示す部分透視図である。
【図１２】収穫装置の内圧の結果として使用の間に開いた直線的なスリットの逃げ口を示す部分透視図である。
【図１３】スイープウイングに取り付けられて海洋船の後方で水の本体内で牽引される図１乃至図３の収穫装置を図式的に示す上方からの斜視図である。
【図１４】使用中の装置の範囲内および周辺における鉛直面内のフローパタンを例示する流線を伴う図１乃至図３の収穫装置の左舷側面図である。
【図１５】カットされた装置の左舷半分と、使用中の装置の左舷半分と装置周辺の範囲内における水平面内のフローパタンを例示する流線を伴う図１乃至図３の収穫装置の最上部切断図である。
【図１６】使用中の装置の範囲内および周辺における流れ速度の異なる領域を例示する等高線を伴う図１乃至図３の収穫装置の左舷側面図である。
【図１７】カットされた装置の左舷半分と、使用中の装置の範囲内および周辺における流れ速度の異なる領域を例示する等高線を伴う図１乃至図３の収穫装置の最上部切断図である。
【図１８（ｉ）】図１８（ｉ）乃至図１８（iv）は使用中の装置の範囲内および周辺における流れ速度の異なる領域を例示する等高線を伴う図１乃至図３の収穫装置の断面図である。図１８（ｉ）は、第１の逃げ口モジュールの図３に示すＡ−Ａ線に沿って得られる。
【図１８（ｉｉ）】拡張モジュールの図３に示すＢ−Ｂ線に沿って得られる。
【図１８（ｉｉｉ）】第２の逃げ口モジュールの図３に示すＣ−Ｃ線に沿って得られる。
【図１８（ｉｖ）】コッドエンド部の図３に示すＤ−Ｄ線に沿って得られる。
【図１９】装置のエントリマウスの前方２ｍの位置から、３ノット（１．５４４ｍ/ｓ）で水中を牽引される図１乃至図１８（iv）に示される収穫装置の縦方向中心軸線に沿って、流れ速度および内圧を示したグラフである。
【図２０】装置に沿った各種の位置で、３ノット（１．５４４ｍ/ｓ）で水中を牽引される図１乃至図１８（iv）に示される収穫装置の直径全体の内部流速を示すグラフである。黒塗り三角で示される線は垂直横断に沿って図３に示すＡ−Ａ平面で得られる。黒塗り円で示される線は水平横断に沿って図３に示すＣ−Ｃ平面で得られる。中空円で示される線は垂直横断に沿って図３に示すＣ−Ｃ平面で得られる。また、中空三角で示される線は図３に示すＤ−Ｄ平面で得られる。
【図２１】水生動物収穫装置の第２の実施形態に係る収穫装置の後方上部からの斜視図である。
【図２２】使用中の装置の範囲内および周辺における鉛直面内のフローパタンを例示する流線を伴う図２１の収穫装置の左舷側面図である。
【図２３】カットされた装置の左舷半分と、使用中の装置の左舷半分と装置周辺の範囲内における水平面内のフローパタンを例示する流線を伴う図２１の収穫装置の最上部切断図である。
【図２４】本発明の方法に用いるための装置の側面模式図である。
【図２５】装置から水生動物を抜き取る例示的なプロセスの間の装置内の流れ速度を示す図２４に示す装置のワイヤーフレーム斜視図である。
【図２６】装置から水生動物を抜き取るプロセスの間の海洋船後部における図２４および図２５の装置の配置を示す斜視図である。
【図２７】図２６に対応する正面図である。
【図２８】装置から水生動物を抜き取るプロセスの間の海洋船後部における代替の実施例の装置の配置を示す斜視図である。
【図２９】図２８に対応する正面図である。
【図３０】フレキシブル継手を介してポンプに取り付けられた海洋船後部に配置された図２４および図２５の装置の正面斜視図であり、船上の等級付けシステムを示している。
【図３１】図３０の配置の背面図である。
【図３２】図２４および図２５の装置をポンプアウトレットに取り付けるために図３０および３１の配置において用いられるフレキシブルな結合の等角投影図である。
【図３３】図３２に対応する端面図である。
【図３４】水生動物を装置から抜き取る例示的なプロセスの間の流れの特徴を示す図２４乃至図３５の装置の断面図である。
【図３５】図３４に対応するワイヤーフレーム斜視図である。
【図３６】液体の流れを用いて動物の大多数を取り除く方法に続いて収穫捕獲物の残留の少なくともいくらかを空にする方法の工程を示す後方斜視図である。
【図３７】収穫捕獲物の残留の少なくともいくらかを空にする方法の続きの工程を示す後方斜視図である。
【発明を実施するための形態】
【００４３】
本発明の実施形態は、水生動物の収穫または輸送装置から、例えば、本願明細書に引用したものとするＰＣＴ出願ＰＣＴ／ＩＢ２０１３／０５５８５８（ＷＯ２０１４／１４０７０２）に開示されているような収穫装置から、水生動物を抜き取る方法に関する。完全さのために、図１〜図２３および下記の説明は、その文書において開示される水生動物収穫装置を記載している。
【００４４】
［水生動物収穫装置］
図１〜図７は、水生動物を収穫する装置１を例示する。ここに示される実施形態において、装置１は、例えばホキ、金目鯛、スナッパー、トレバリ、ホウボウ、カマスまたはカレイのような魚、イカのような軟体動物、および／または例えば蟹のような甲殻類といった水生動物を捕獲するために遠洋または海底を底引きするための底引き網装置として構成されている。図１〜図７は、使用のために拡張された構成の装置を示している。好ましい形態において、装置１は、伝統的な底引き網におけるメッシュのコッドエンドを置き換えている。
【００４５】
この装置は、開いた先端２ａを有する追従コッドエンド部２と、閉じた追従端２ｂと、先端と追従端の間で拡張されている一つ以上の側壁２ｃとを備えるモジュラバッグ１である。この装置は、更に、コッドエンド部２の開いた先端２ａに有効に接続される開いた追従端３ｂと、この装置の開いたマウスを形成する開いた先端端３ａとを有する細長い引き伸ばし部３を備えている。
【００４６】
引き伸ばし部３の先端３ａは、装置１に水生動物を導くために、図１３に示すようにネットの発散スイープウイング６３および／または胸部６５に有効に接続される。スイープウイング６３は、次に、ケーブル６１等を介してボートのような牽引海洋船５１に有効に接続される。スイープウイング６３とケーブル６１は、従来の設計のままとすることができる。この装置１は、スイープウイングおよびケーブルを含む底引き網漁の装置の全体として提供されることができ、また、代替としては、この装置を既存の底引き網のスイープウイングまたは胸部に有効に接続することにより、既存の底引き網を改良して実現することもできる。例えば、水中または海底のトローリングのような異なる目的のために用いられる底引き網にこの装置を適応させるために、必要に応じてアダプタ部を用いることができる。
【００４７】
細長い引き伸ばし部３は、直列に接続されるエントリコーン５および３台の引き伸ばし部モジュール６、７、８を備える。エントリコーン５は、引き伸ばし部の先端３ａに配置される。エントリコーンは、この装置の開いたマウスを形成する開いた先端５ａと第１の引き伸ばし部モジュール６の先端６ａに接続される追従端５ｂとを備えている。エントリコーン５の壁５ｃは、装置１が水中で引かれるのに伴って水と動物が引き伸ばし部モジュール６、７、８に導かれるように、先端５ａから追従端５ｂにかけて先が細くなっている。コッドエンド２、エントリコーン５および引き伸ばし部モジュール６、７、８は装置１が拡大された際に同軸となるように構成されている。
【００４８】
引き伸ばし部モジュール６、７、８の夫々は、開いた先端６ａ、７ａ、８ａと、開いた追従端６ｂ、７ｂ、８ｂと、夫々先端と追従端との間に伸びている一つ以上の壁６ｃ、７ｃを有している。第１の引き伸ばし部モジュール６の先端６ａはエントリコーン５の追従端５ｂに有効に接続している。第２の引き伸ばし部モジュール７の先端７ａは第１の引き伸ばし部モジュール６の追従端６ｂに有効に接続している。同様に、第３の引き伸ばし部モジュール８の先端８ａは第２の引き伸ばし部モジュール７の追従端７ｂに有効に接続しており、また、その追従端８ｂはコッドエンド部２の先端２ａに有効に接続している。
【００４９】
コッドエンド部２の側壁２ｃおよび追従端２ｂは、実質的に水を通さないものであり、好ましくは水を全く通さないものである。エントリコーンおよび引き伸ばし部モジュールの側壁５ｃ、６ｃ、７ｃ、８ｃは、少なくとも主要な部分（すなわち大部分）が実質的に水を通さない。好適な実施形態において、コッドエンド部２の追従端２ｂの封止は、コッドエンド部２の壁２ｃを巻き、次に、壁２の外面上にチェーン縫いにより補強材をひもで縛り付けることにより達成される。
【００５０】
コッドエンド、エントリコーンおよび引き伸ばし部の壁２ｃ、３ｃ、５ｃ、６ｃ、７ｃ、８ｃは、折り畳まれた構成と膨張または拡張された構成との間で装置１が折り畳み可能かつ拡張可能であるように可撓性でもある。空の装置は、往々にして、例えば、折り畳まれた状態でボートに保存される。水の流れが装置の縦軸と実質的に平行であるように装置が水の実体の中で引かれる際に、内部水圧により装置は勝手に膨張する。
【００５１】
引き伸ばし部モジュール６、７、８およびコッドエンド２の側壁部または側壁２ｃ、６ｃ、７ｃ、８ｃは装置が拡大されると実質的に平行になる。その壁部分は、図示の通り、すなわちその壁部分が内向きに凹となるように、装置１における内圧の下では外へ曲がりまたは隆起する場合がある。装置が拡大されると、コッドエンド２および細長い引き伸ばし部３は（エントリコーンを除いて）実質的に円筒状となる。他の実施形態では、コッドエンド２または引き伸ばし部３は、装置が拡張された際に、円形の断面ではなく、むしろ楕円状または多角形状の構成のような異なる断面構成を有する場合がある。引き伸ばし部は、例えば、装置が拡張された際に、実質的に正方形、矩形、六角形、または八角形の断面構成を有する場合がある。
【００５２】
図１に示すように装置が拡張される際に、コッドエンド部の追従端２ｂは少なくとも部分的に内向きに凹となる場合がある。
【００５３】
エントリコーン５、引き伸ばし部モジュール６、７、８およびコッドエンド２は、好ましくは分離可能である。これにより、各種の引き伸ばし部モジュールを置換し、追加し、または取り外すことにより、特定の用途に適合するように装置をカスタマイズすることが可能となる。図３および図４は、装置１の各種部分５、６、７、８および２の典型的な寸法を示す。図４は、図１および図２に示す装置の分解図であり、装置１の各種部分５、６、７、８、２を分離して示している。一つの実施形態において、３つの引き伸ばし部モジュール６、７、８は寸法的に等価であり、各々が約２０４０ｍｍの長さＬ６、Ｌ７、Ｌ８を有している。コッドエンド２、引き伸ばし部モジュール６、７、８、およびエントリコーンの追従端５ｂは、約１４６０ｍｍの直径Ｄ２を有している。図示される実施形態において、エントリコーンは１６３７ｍｍの長さＬ５を有しており、装置のマウスを形成するその先端５ａの直径Ｄ１は約１８７０ｍｍである。これらの寸法は例示的なものであり、装置１の使用に応じて、または、例えば能力増加のために、修正される場合がある。例示的な実施形態において、引き伸ばし部３およびコッドエンド２の最大部直径は、曳航船のデッキの幅、および／または装置１を取り扱うためのローラーまたはドラムのような搭載器材により制限される。
【００５４】
図示される実施形態において、先導するおよび追従する引き伸ばし部モジュール６、８は、夫々のモジュール壁６ｃ、８ｃに複数の開口９、１０を備える逃げ口モジュールである。これらの開口９、１０は、装置１が水の実体を通して方向Ｔに引かれる際に、細長い引き伸ばし部の先端３ａからコッドエンド部２ｂの追従端に向かう装置内部の水流速を減少させるために、装置１の内側から装置の外側に水を通過させることのできる逃げ口９、１０を形成する。
【００５５】
図示される実施形態において、第２の引き伸ばし部モジュール７は拡張モジュールである。拡張モジュール７の壁７ｃはいかなる逃げ口も含んでおらず、そのため、装置が水中を方向Ｔに引かれる際に、拡張モジュール７の先端７ａに流れ込む流速は、拡張モジュール７の追従端７ｂから流れ出る流速と実質的に同じになる。
【００５６】
コッドエンド部２および引き伸ばし部モジュールの壁２ｃ、６ｃ、７ｃ、８ｃの、水に対する実質的な非透過性は、コッドエンドを通って流れ出る水の能力が、逃げ口モジュール６、８から流出する水の能力に比して十分に小さくなり、かつ、逃げ口部の壁６ｃ、８ｃを通って流出する水の能力が、逃げ口９、１０を通って流出する水の能力より十分に小さくなるようなものである。
【００５７】
一つの実施形態において、コッドエンド、エントリコーンおよび引き伸ばし部モジュールの側壁２ｃ、３ｃ、５ｃ、６ｃ、７ｃは可撓性膜４を備えている。好ましくは、側壁２ｃ、３ｃ、５ｃ、６ｃ、７ｃは、ＰＶＣまたは裂け止めＰＶＣ、帆作成用ファブリック、織式ナイロンエアバッグファブリック、ポリエステルまたはポリエチレンのような不浸透性の材料を備えている。いくつかの実施形態では、織式のカスタムモジュールが用いられる場合がある。好適な実施形態では、引き伸ばし部モジュールおよびコッドエンド部２の夫々が、ブランクの２つの対向するエッジを接合することにより矩形のブランクから造られる。そのエッジは、縫い付け、ジッパー、両サイドの統合的タイピング、または他のあらゆる適切な結束手段により結束されてもよい。
【００５８】
エントリコーン５、引き伸ばし部モジュール６、７、８およびコッドエンド２は、装置を強化するために縦方向および円周方向に補強部品を備えている。図５〜図７は、エントリコーン５および第１の引き伸ばし部モジュール６上の補強ストリップ１１、１３の形状による補強を示す。その実施形態において、エントリコーン５は、九つの円周方向補強ストリップ１３と複数の長手方向補強ストリップ１１とを備えている。第１の引き伸ばし部モジュール６は、七つの円周方向補強ストリップ１３と、複数の長手方向補強ストリップ１１とを備えている。第２および第３の引き伸ばし部モジュール７、８およびコッドエンド２は同様の方法で補強される。円周方向の補強ストリップ１３は曳航されて膨張した装置１のフープ応力を受け持ち、長手方向の補強ストリップ１１は引張応力を受け持つ。この装置は、牽引ストリップ（図示せず）として、複数のより強度の高い縦方向ストリップを更に備える場合がある。例示的な実施形態では、引き伸ばし部３およびコッドエンド部２に沿って配置され、夫々が６トンに各付けされた三〜四本の運搬ストリップ１２を備えている。これらのストリップは、装置１を曳航して取り扱うための従来通りの牽引ポイントを提供する。
【００５９】
図８および図９は、エントリコーンモジュール５を形成するためのブランクを例示する。膜壁５ｃは、横方向／円周方向の補強ストリップ１３および縦方向の強化および牽引ストリップ１１、１２により、その外面において補強されている。縦方向のストリップの端１１ｂは、図６および図７に示すように隣接する引き伸ばし部モジュールを取り付けるためのループを形成するために環状にされる場合がある。横方向の補強ストリップ１３ａ、１３ｂの端１３ａ、１３ｂは、エントリコーン５を形成するために二つの反対側のサイドエッジ５ｄ、５ｅを縫い合わせてループを形成するために、同様に環状にされる場合がある。二つのサイド５ｄ、５ｅの間の縫い合わせによる結合を改善するために更なるループ部材１４が提供される場合がある。
【００６０】
コッドエンド部２は、装置が曳航されて回収される際のコッドエンド部内の更なる負荷に適応するために、好ましくは引き伸ばし部３より大きな範囲で補強される。例示的な好適な実施形態において、円周方向の補強ストリップ１１は、引き伸ばし部３に沿って３２５ｍｍの点で間隔が置かれ、コッドエンド部２に沿って２００ｍｍの点で間隔が置かれる。コッドエンド部２は、好ましくは、円周方向および縦方向のストリップ１１、１３に対してある角度で装置の外面に配列される傾斜強化部材を備える場合もある。コッドエンド部２のまわりの傾斜補強は、後述するように後部からのリフティングの負荷、または、コッドエンド２自身が正面から引き上げられる間の負荷を広げるのに役立つ。
【００６１】
例示的な実施形態において、補強ストリップは、５０ｍｍのポリエステルシートベルトウェビングを備える。代替として、補強ストリップは、他のナイロンおよび／またはポリエステルウェビング、ＰＶＣ、Ｄｙｎｅｘまたはケブラー、またはストリップを形成することができ縫製または溶接により膜に取り付けられることのできるフレキシブルで強度があり耐摩耗性の高いあらゆる材料を備える場合がある。この補強ストリップは、いかなる適切な幅であってもよい。
【００６２】
補強ストリップ１１、１３は、フレキシブルであり膜壁４の外面に取り付けられている。膜壁の外面に補強を配置すると、その補強への水生動物の接触を最小にし、内部表面の平滑性を維持し、かつ、捕獲動物への摩耗損傷を最小にすることができる。外部装着された補強ストリップは、底引き網漁に伴う海底との摩擦からも、および／または船上に引き上げられる際の曳航船のエッジおよびデッキとの摩擦からも、膜壁５ｃ、６ｃ、７ｃ、８ｃ、２ｃを保護する。
【００６３】
例示的な実施形態において、補強ストリップ１１、１３は装置の壁５ｃ、６ｃ、７ｃ、８ｃ、２ｃに縫合される。補強ストリップ１１、１３の材料に応じて、ストリップは他の方法で取り付けられることができる。例えば、ＰＶＣ補強ストリップは、外部壁面５ｃ、６ｃ、７ｃ、８ｃ、２ｃに溶接されまたは接着される場合がある。
【００６４】
エントリコーン５上および引き伸ばし部モジュール６、７、８上の各縦方向のストリップ１１の各先端はループ部１１ａ、１１ｂを備えている。コッド部２の先端における縦方向のストリップの端部もループ部を備えている。装置が組み立てられる際に、各種セクション５、６、７、８、２は、隣接するモジュール上の縦方向の補強ストリップ１１が整列するように配置される。隣接するセクションまたはモジュールは、次にループ１１ａ、１１ｂを通してモジュールを一緒にチェーン縫いすることにより接続される。他の実施形態では、隣接するセクションが、ジップ、クリップ、接着剤または異なるタイプの縫い目のような他の固定手段を用いて接続される場合がある。固定具のタイプは、装置の最終用途および能力に依存する。例えば、チェーン縫いは一般にジッパーより強い接続を提供するため、より高い容量への適用に適している。
【００６５】
逃げ口モジュール６、８は、夫々複数の逃げ口９、１０を備えている。逃げ口９、１０は、装置１の選択性を改良するために、各種の水生動物の身体測定および行動に関する特徴を活かすための大きさ、形および位置が設定された開口を備えている。逃げ口９、１０は、動物に対するそれらのサイズや外観により、また、装置１が水中で牽引されるのに伴ってそれらが発生させる流速および流れのパターンにより、この種の特徴を利用する。
【００６６】
各逃げ口９、１０は、開口より小さい水生動物が、逃げ口９、１０を通って装置の内部から装置の外側に出るために通過するのを許容する。逃げ口のサイズは、好ましくは、若いまたは過少な水生動物或いは不要種の通過を許容するが、商業的に有用なサイズの動物の通過を阻止するように設定されている。
【００６７】
伝統的な網索は粗野であり、例えば鱗をこすり落とすことにより、逃げ出そうとする動物にしばしば損傷を与えてしまう。加えて、伝統的なネットにおける張力の掛かった索の粗く強固な性質は、一旦捕らえられた動物が実質的な損傷を負わずにそれら自身で自由になることがしばしばできないことを意味する。対照的に、本装置の好適な実施形態のフレキシブルおよび滑らかな非透過性の膜壁４は、動物が装置１から出るのに伴って逃げ口９、１０のエッジに接触した際に動物が受ける摩擦損傷を最小にし、かつ、逃げ口に捕らえられた動物がそれら自身の力で自由になるのを許容する。例えば、開口サイズに近いホウボウのような不規則な形状の動物は、損傷を負わずにまたは損傷を最小に抑えてそれら自身の力で自由になるためにフレキシブルな逃げ口を通ってワッフルすることができる。
【００６８】
逃げ口９、１０は、スリット、スロットまたは他の開口を備える場合があり、かつ、まっすぐなおよび／またはカーブした部分を備える場合がある。図１０は、いくつかの用いられ得る例示的な逃げ口４１、４２、４３、４５、４７を示す。逃げ口９、４１、４２、４３、４５、４７は、逃げ口モジュール６、８の壁３ｃ、６ｃ、８ｃにスリット、スロット、または他の開口を切ることによって形成される。一つ以上の逃げ口モジュールは、何れも異なるサイズおよび／または異なるタイプの複数の逃げ口を備える場合がある。あるいは、一つ以上の逃げ口モジュールは、何れも複数の同一の逃げ口を備える場合がある。この壁はフレキシブルな膜を備えているため、上記モジュールはカスタマイズが非常に容易であり、逃げ口は、要求に応じて、容易に成形され、サイズが設定され、かつ位置が決定されることができる。
【００６９】
図１０に示される逃げ口４１、４２および４３は、スロットタイプの逃げ口の例である。逃げ口４５は例示的な曲がりくねったスリットタイプの逃げ口であり、そして、逃げ口４７は直線スリット型の逃げ口である。
【００７０】
逃げ口が逃げ口モジュールの壁３ｃ、６ｃ、８ｃにスリット４５、４７で形成される場合は、スリットが、当該スリットの端に裂け留め開口４９ａ、４９ｂを備える場合がある。例えば、壁が裂け留め材料を備えている場合、或いはスリット４５の端が円周方向または縦方向の補強ストリップ１１、１３と一致する場合など、いくつかの実施形態においては、補強が必要でない場合がある。
【００７１】
図１１および１２に示すように、装置が膨らむときに、スリットは逃げ口「スロット」を形成するために変形する。スリット４５、４７の両側の壁４５ａ、４５ｂ、４７ａ、４７ｂは装置の内圧の下で開くフラップまたは「指」を形成する。「スロット」の幅は、曲線または「指」或いは「フラップ」の振幅により決定される。フラップが開く程度は装置内圧の関数であり、その内圧は、今度は牽引速度の関数である。従って、スリットタイプの逃げ口４５、４７は、水流に反応して牽引速度が高いほど大きく開口する。この逃げ口は、流速と圧力が降下してフラップ４５ａ、４５ｂ、４７ａ、４７ｂが閉じると、消滅するように見える。
【００７２】
装置の内圧の下で壁が曲がりまたは膨れ出る際に、湾曲したスロット４７は使用に際して直線のスロット４５より容易に開く。湾曲の程度が低いまたはコード長が小さいスリットは、より「強固で」であり、より高い圧力の下でもさほど開かない。スリットの形、例えば曲がりくねったスリットの振幅は、牽引速度に対する逃げ口の「開放性」感度を高めるように選択される場合がある。この可変的なの開口は、特に低い牽引速度で装置を膨らませるにあたって有益である場合がある。低い牽引速度で閉じる逃げ口は、捕獲した動物が逃げるのを防ぐための物理的および視覚的バリアを提供するために開口が閉じる曳航の終わりにおける装置回収の間にも有利である。
【００７３】
逃げ口９は、それぞれのモジュール６、８の側壁６ｃ、８ｃにおいて離散した領域に配置される。図１乃至図３に示される実施形態では、逃げ口９、１０が、逃げ口モジュール６、８の頂部領域と下部領域に提供されており、側方には逃げ口が存在しない。
【００７４】
図２１は、第２の例示的な実施形態に係る水生動物の収穫装置２１を例示する。この装置２１は、エントリコーン５および直列に接続された３つの引き伸ばし部モジュール６、７、２４を備える細長い引き伸ばし部２３と、コッドエンド部２とを有して構成されている。引き伸ばし部の開いた追従端２３ｂはコッドエンド部２の開いた先端２ａに有効に接続しており、また、引き伸ばし部２３の開いた先端３ａは装置の開いたマウスを形成している。
【００７５】
図２１の実施形態のコッドエンド部２、エントリコーン５、第１の引き伸ばし部６および拡張モジュール７は、図１〜４に示される第１の実施形態との関係において上記の通りである。図２１の実施形態では、第２の逃げ口モジュール２４が、第２の逃げ口モジュール８の代用とされている。
【００７６】
第２の逃げ口モジュール２４は、拡張モジュール７の追従端に有効に接続している開いた先端２４ａと、引き伸ばし部２３ｂの追従端を形成する開いた追従端２４ｂとを備えており、かつ、コッドエンド部２の先端に有効に接続している。逃げ口モジュール２４は、装置２１が本体の中を方向Ｔに曳航される際に第２の逃げ口部の先端２４ａから第２の逃げ口部２３ｂの追従端へ向かう装置内部の水流速度を低下させるために装置２１の内部から装置２１の外側に水を通過させることのできる逃げ口を形成する複数の開口２５を更に備えている。
【００７７】
第２の逃げ口モジュール２３の側壁２４ｃは、水を実質的に通さないフレキシブルな膜を備えている。この逃げ口２５は、図１乃至図４における第２の逃げ口モジュール８におけるようなモジュールの上下領域ではなく、むしろポートの中および膜２３ｃの右舷領域に提供されている。
【００７８】
逃げ口９、１０、２４は、選択を助けるために魚の行動に関する特徴を利用するために配置される場合がある。これは、望まれていない種がより一層引き付けられ易くなるような領域の逃げ口を配置すること、および／または異なる種を逃げ口９、１０、２４に向かわせ、またはそこから離れさせるような所望の流れパターンを装置内に作成することにより、達成される場合がある。
【００７９】
例示として、図１乃至図７の実施形態では、逃げ口９、１０が逃げ口モジュール６、８の上下領域に配置されている。逃げ口モジュールのサイド領域は、実質的に水を通さない。この例では、カマス、サメおよびホキのような遠洋種は上方へ泳ぎたがり、逃げ口９、１０を通って逃げ出せるが、スナッパー、マハタ、トレバリおよび金目鯛のように表層を嫌う種は逃げ口９、１０から離れるように泳いだ結果捕獲される。ホウボウやカレイのような海底で生活する魚は下方の逃げ口９、１０を通って逃げるのを好む場合があるが、表面を好む魚は、装置１内の流れによって上方の逃げ口付近に穏やかに再循環され上方の逃げ口を通って逃げる場合もある。その下方の逃げ口は、底引き網漁の際に本装置が海底において引き摺られるのを防ぐためのリフトも装置に提供する。
【００８０】
図２１の実施形態において、第１の逃げ口モジュール６の逃げ口９は、上方および下方の領域に配置されており、第２の逃げ口モジュール２４の逃げ口２５は、サイド領域に対称的に配置されている。このような構成は、カマスのような遠洋の表面探索性の魚が好んで泳ぎそうな装置の上方領域に逃げ口がないため、それらの魚の保持を増やすために用いることができる。
【００８１】
別法として、望ましい応用に応じて、逃げ口は、逃げ口モジュールの異なる領域または壁に配置される場合がある。別法として、一つ以上の逃げ口モジュールは、モジュールの周辺に均一に配置される逃げ口を備える場合がある。
【００８２】
逃げ口の体裁は、逃げ口が異なる種にとって多少魅力的になるように変更される場合もある。例えば、スリットによって形成される逃げ口４５、４７において、スリットの側部は、装置１の内圧の下で外側に折り曲がる「フラップ」４５ａ、４５ｂ、４７ａ、４７ｂを形成し、このフラップのゆるいエッジは、逃げ口に見かけの深さを与えて、逃げ口をそれらの実寸法より小さく見えさせる。装置が曳かれるのに伴ってフラップも移動する。この見かけの深さおよび可動フラップは多くの種を引き止める。従って、逃げ口の見かけの「深さ」は、フラップの寸法を変えることにより変えられる場合がある。逃げ口の見かけが小さいほど、逃げ口の通過が容易ではない場合のある動物を効果的に引き止めるが、それらのフラップ４５ａ、４５ｂ、４７ａ、４７ｂは、見かけの逃げ口より大きな魚が通過できるように撓むことができる。
【００８３】
代替の例示的な実施形態で、第１の逃げ口モジュール６が細長い長手方向の「スパゲッティ」逃げ口を備えている。これらの長い逃げ口は、ハプカのように表層を嫌悪する魚には回避されるが、サメには開いているようにみえる。長い逃げ口は、装置１が動物ですっかり満たされてしまった場合にはダメージの少ない「オーバフロー」ゾーンを提供することもできる。
【００８４】
逃げ口領域は、特定の魚の種を引きつけ、または遠ざけるために色づけされる場合もある。好ましい形態の装置が備えるモジュール膜の不浸透性または密に織られた構造は、光の強度および色を更なる選択性の改善のために用いることを可能とする。その膜は、不透明、多色、あるいは透明または透き通るようなものである場合がある。カマスのような種は、逃げ口に誘導しまたは逃げ口から遠ざけ、或いは好ましい形態の装置の範囲内の特定のゾーンに誘導することのできる透明なおよび透き通るゾーンに強く引きつけられる。
【００８５】
逃げ口の数は、逃げ口引き伸ばし部モジュール６、８夫々における逃げ口のサイズおよび形状、並びにエントリコーン５、Ｄ１上の掃引吸入領域のサイズの関数である。バッグが完全に膨らんだ際の逃げ口の総開口領域は、エントリコーン５の先端５ａの吸入面積の約６０％より小さく、より好ましくは約５５〜約６０％である。掃引エントリコーンの領域と比較して高過ぎる逃げ口領域は、装置を膨らませるのを困難にする。低すぎる逃げ口領域は、取り付けられた如何なるネットをも動物を通過させるコーンの前方に大きな弓波を生じさせる結果を招く。掃引エントリコーン領域の約５５％から約６０％の間の開口逃げ口領域は、一般に、この構造体の信頼性の高い膨張、コーン前方の最小化された弓波、および、低流速および逃げ口領域９、１０への動物の良好な輸送を確実にする。
【００８６】
エントリコーン２の側壁角は、意図された曳航速度、装置１の表面対容積比率、逃げ口９、１０の数およびタイプ、並びに船上搭載器材との互換性に基づいて選択される場合がある。例えば、圧力の下で開くスリットタイプ逃げ口は、牽引速度に応じてそれらの開口を動的に変える。掃引領域に対する逃げ口比率が特定の牽引速度レンジのために設計されている場合、逃げ口は圧力の下で適切なサイズに開く。低い牽引速度では、締めつけられた開口が、流れに対するいくらかの抵抗を提供し、装置の膨張を助ける。装置が使用中に膨らんでいる際の逃げ口９、１０の総開口領域は、伝統的な底引き網ネットの開口領域よりとても小さなものとなる。例えば、伝統的なネットでは、ネットの開口領域或いは多孔性は、約５０％から７０％の間となる場合がある。図１乃至図７に示される装置において、逃げ口の総面積は、引き伸ばし部３の全体の壁領域のわずか約３％である。
【００８７】
小さい逃げ口の広い領域は、追加された抵抗のための補償を必要とする場合がある。
【００８８】
図に示される装置を組み立てるために、エントリコーン５、引き伸ばし部モジュール６、７、８およびコッドエンド部２は別々のブランクとして提供される。各ブランクは、長手方向の継目に沿って対向する側を接続することにより、また、コッドエンド部の場合は追従端２ｂを封止することにより、上記の通り個々に組み立てられる。モジュール６、７、８は、いかなる所望の順序でも配置される場合がある。代替の実施形態では、この装置が、例えば、種の捕獲につき所望の選択性やより大きな捕獲能力を達成するような望ましい応用に合うように構成される場合があるように、更なる逃げ口モジュールまたは引き伸ばし部モジュールが加えられ、または図示されているモジュールと置き換えられる場合がある。代替の実施形態では、逃げ口モジュールの数がより少数だけ提供される場合がある。
【００８９】
次に、隣接する領域５、６、７、８、２が、何らかの適切な固定手段を用いて、好ましくは例えばチェーン縫いを用いて隣接するモジュールの補強ストリップを一緒に縫い合わせることにより接続される。装置の組み立て後に、この装置は、セクション間の接続の一つ以上を分解し、また、必要に応じてモジュールを追加および／または取り外すことにより、異なる応用または漁のための装置のカスタマイズのために容易に変更される場合がある。このデバイスのモジュラ式の性質は、このデバイスの異なる応用のための容易な仕立てを可能にしている。
【００９０】
この装置は、従来のネット式のコッドエンドより十分に大きな容積を装置内に提供するようにそのサイズが設定される場合があり、これにより、動物対動物、動物対表面、および動物対残骸の接触が更に減少する。
【００９１】
上記の装置は例示的な装置に過ぎず、そして、数多くの変更態様が可能である。例えば、装置１は、３台の引き伸ばし部モジュール６、７、８とエントランスコーン５を有する引き伸ばし部３を有するものとして記述されている。代替としては、引き伸ばし部３は、エントリコーンを備えない場合があり、および／または単一の引き伸ばし部または直列に接続された他のあらゆる数の引き伸ばし部モジュールを備える場合がある。この装置は、２台の離れた逃げ口モジュール６、８を備えるものとして記述されている。代替としては、装置１は一つまたは複数の逃げ口領域を有する単一の逃げ口モジュールだけを備える場合があり、或いはこの装置は三つまたは四つまたは他のあらゆる数の逃げ口モジュールを備える場合もある。逃げ口モジュールは、互いに隣接し、またはブランク拡張モジュールによって分離されている場合がある。
【００９２】
一つの実施形態において、コッドエンド部２および引き伸ばし部３は一体化され得る。
【００９３】
複数の引き伸ばし部モジュール６、７、８を有するシステムは、各種の引き伸ばし部モジュールを再編成し、置換し、取り外し、および／または加えることにより異なる応用のためにカスタマイズ可能である。好ましくは、引き伸ばし部モジュール６、７、８の内部横寸法は全て、この互換性を容易にするために等価である。好ましくは、そのモジュールは同じ長さでもある。しかしながら、代替として、そのモジュールは異なる長さおよび／または異なる内寸を有する場合がある。例えば、一つ以上の引き伸ばし部モジュールは、その先端がその追従端より大きな内部横寸法を有するようにテーパ状である場合がある。
【００９４】
コッドエンド２および細長い引き伸ばし部３は、装置が拡大されると実質的に円筒状になるものとして記述されている。代替の実施形態では、コッドエンド２および／または引き伸ばし部３は、装置が拡大された際に、楕円或いは多角形の構成のような異なる断面構成を有する場合がある。例として、引き伸ばし部は、装置が拡大された際に、実質的に正方形、矩形、六角形、または八角形の断面構成を有する場合がある。
【００９５】
別の例として、この装置には、装置の所望膨張形状の形成を支援するために内部ブレーシングを備え付けることができる。
【００９６】
上記の実施形態は、所与のサイズより大きな種を保持し、それに満たない小さな魚を放出するように設計されている。代替の実施形態では、所望の種の稚魚を捕獲するように構成される場合がある。そのような実施形態は、コッドエンド部２に最も近い逃げ口モジュール８により小さな逃げ口を有する場合があり、またコッドエンド部２の稚魚を、より大きなあらゆる逃げ口、および／または逃げ口モジュール前方の高速流から更に離しておくために、より多くのまたはより長い拡張モジュール６を備える場合がある。この装置の牽引速度は、成体またはより大きな動物が、コッドエンド部から前方に泳いでその前方の逃げ口から外に出ることができるように低減される場合もある。
【００９７】
［装置の使用］
図１３は、海洋船５１の後方で牽引かれる装置１を模式的に示す。上記の装置２１も同様の方法で牽引される。装置１の先端３ａはスイープウイング６３に有効に接続されており、そのスイープウイングはボートのような曳航船５１にケーブル６１により接続されている。第１のステップにおいて、この装置１は、ボート５１の後部から転落させられ、水の本体中、例えば海中に浸漬されて、船５１により水の中を牽引される。
【００９８】
装置１のマウス３ａを通って水が浸入し、装置の追従端に向かう相対的な水流および主として水を通さない壁によって装置内に生成された内圧が、この装置１を膨張された構成へと拡大させる。エントリコーン５のテーパ状の壁５ｃは装置１が膨らむのを支援する。装置１が引かれるにつれて、水生動物がマウス３ａを通って膨張した装置に入る。その動物が逃げ口９、１０を介して脱出しない場合は、それらがコッドエンド部２へ移動する。
【００９９】
装置１が引かれるにつれて、装置の長手方向に、マウス３ａを通った水が装置に対して相対的に流れる。装置１の内部の水速度が、細長い引き伸ばし部３の先端３ａからコッドエンド部２の方に向かって一般に減少するように、各逃げ口モジュール６、８の逃げ口９、１０を通る装置１の外部への水流が存在する。好ましくは、水速度の異なる複数のゾーンを提供するためにコッドエンド部２まで逃げ口モジュール６、８の夫々で発生する一連の制御された段階的な段階で水速度は徐々に遅くなる。これらの段階は、目標動物の物理的なおよび行動に関する要件に合わせて、また漁のオペレーションに応じて仕立てられることができる。
【０１００】
図１４および図１５は水流パターンを示す流線を示しており、また図１６および１７は、図１乃至図１５に示す装置１が三ノット（１．５４４ｍｓ−１）で牽引された際の装置内の流体力学に対応する計算モデルを示す。図１９は、装置の中央軸線に沿ってその内圧と装置１に対する水速度とを示したグラフである。
【０１０１】
図１９のグラフは、装置１の先端３ａでは、マウス５ａから先頭の引き伸ばし部モジュール６に隣接する後続端５ｂに向かってコーンが狭くなるにつれて、中央軸線ＣＡに沿った流れの速度がエントランスコーン５に沿って増加することを示している。流れの速度は次に、第１の逃げ口モジュール６の逃げ口９を通って水が漏れ出すのに伴い、そのモジュールに沿って著しく低下する。
【０１０２】
装置内の流れの速度は拡張モジュール７に沿って相対的に一定であり、かつ、薄層状または乱れの少ないものとなる。拡張モジュールは、取り入れの間に捕獲された動物を中程度の流れの水の中に収めるために低乱流領域を提供する。高容積の漁場のためには、装置の容量を増やすために、より長い拡張モジュール７或いは複数の隣接する拡張モジュールを用いることにより、より長い中速度領域が提供される場合がある。代替として、能力を増加させるために、逃げ口９の最初の領域に追従する引き伸ばし部に沿ったあらゆる点に、更なるブランク拡張モジュール、および／またはより長いブランク、逃げ口モジュール６、８における逃げ口のない部分の形で、更なる長さが装置に加えられる場合がある。
【０１０３】
流れの速度は次に、より多くの水が二つ目の逃げ口モジュール８の逃げ口１０を通って漏れるのに連れて、そのモジュール８の逃げ口１０に亘って再び減少する。好適な実施形態では、先導する逃げ口モジュール６の逃げ口９の総面積が追従する逃げ口モジュール８の逃げ口の総開口領域より大きいため、流れの速度は、第２の逃げ口モジュール８で生ずるより大きく第１の逃げ口モジュール６で減少する。例示に過ぎないが、一つの実施形態では、先導する逃げ口モジュール６の逃げ口に対する実質的に水を通さない膜の領域の比率は約９３．５％であり、追従する逃げ口モジュール８における対応する比率は約９２．３％である。他の実施形態では、その違いはより大きくなることがある。望まれていない大きな種が、装置１の前方のより高速の領域で逃げ出すことができるように、第１の逃げ口モジュール６の逃げ口９は、第２の逃げ口モジュール８の逃げ口１０より大きい場合がある。
【０１０４】
最終的に、コッドエンド部２において流れの速度は最低となる。好ましくは、この装置は、装置が水の本体の中で牽引される際に、装置に対するコッドエンド部内の相対水速度が、装置外部の相対水速度の約１０％未満となり、好ましくは装置外部の相対水速度の約５％未満となるように構成される。一つの例としては、秒速２メートルの外部水速度Ｖに対して、コッドエンド部２内の速度Ｖ１が秒速約０．０４〜０．１メートルである場合がある。これにより、コッドエンド部内に非常に乱れの少ない避難場所が形成され、水生動物にとってゆったりとした低流速の環境が提供される。この装置１は、コッドエンド部内により低速のまたは高速の流れを生成するために、必要に応じて、逃げ口または逃げ口モジュールの設計および配置、更には装置の寸法を修正することにより仕立てられる場合がある。極低速の流れは、ホウボウまたはジョンドリーのように容易に消耗してしまう種を疲弊させずに捕獲するために、或いは稚魚の捕獲のために有利である。
【０１０５】
コッドエンド部２の低い流速は、底引き網漁の過程において捕獲された水生動物が泳ぐための低乱流の避難領域を提供する。これによって、水生動物はリラックスすることができ、また、水生動物が装置から受ける衝撃を最小化することができる。水生動物は、装置が水の本体中を牽引される際に、装置のコッドエンド部分２に沿って容易に泳ぐことができる。
【０１０６】
図１４および図１５に示すように、水はコッドエンド部２の中で循環する。この低流速循環は、装置内に捕らわれた残骸が、装置の後方に押し付けられて捕らわれてしまうよりむしろ、更に前方の逃げ口を通して外部に流れ出るのを可能とする。例えば、砂、貝および石は、流れ出されて海底に戻される場合がある。これにより、よりきれいな捕獲物が得られるだけでなく、捕獲された動物と粗雑な物体との接触が低減される。捕獲物および装置から泥および砂を取り除く船上でのクルーの労働も低減される。
【０１０７】
逃げ口モジュール６、８の逃げ口９、１０の数およびサイズは、目標牽引速度での拡張モジュール７および／またはコッドエンド２の平均流れ速度を、それぞれの部分に保持される目的生物体の最大持続スイミング速度（Ｕｃｒｉｔ）の範囲内に収めるべく低下させるために選択される。これにより、捕獲された動物が疲れて水流により押し流されてしまうのを防ぐことができる。
【０１０８】
装置１の膜性質によって、装置内の流れのパターンを特定の選択作業に適したものとすることができる。逃げ口のパターン、開口の構成、モジュールタイプ、モジュールの数およびサイズを含む多くの設計要素は、特定の選択と動物保持の目的を達成するために変更されることができる。
【０１０９】
装置１の内部の平均流れの速度は、常に都合良く装置外部の相対的な流れより少ない。しかしながら、装置１に沿ったいかなる所与の点の流れも、装置の断面に亘って一貫したものではない。代わりに、その流れは、低速流の領域と高速流の領域とを備える。図１８（ｉ）乃至図１８（ｉｖ）は、引き伸ばし部モジュール６、７、８およびコッドエンド２の夫々における異なる流れ速度を示している。
【０１１０】
図１８（ｉ）および図１８（ｉｉｉ）に示すように、逃げ口モジュール６、８の流れは、上方および下方の逃げ口９、１０に向かい、逃げ口９、１０夫々の周りに高速流１５の局所領域を生成する。図１乃至図４の実施形態は側部の逃げ口を備えていないため、逃げ口モジュール６、８の側部に沿って低速流領域１７または「不感帯」が作成される。この領域の流れは、低減された縦方向速度成分を有するが、増大された半径方向速度成分を備える場合がある（図１４および図１５参照）。この低流速領域１７は、拡張モジュール７に達するが、相対的にはっきりしていない。小動物および低速泳者は、より低速の領域に集合する傾向がある。その低速の側部領域１７では、牽引の方向Ｔにおいて、これらの小さな動物が装置の上手に遡って泳ぐことができる。小さな動物が、低速で循環する水流のために逃げ口９、１０付近のこれら側部領域１７を出ると、逃げ口周辺のより高速の流れが、逃げ口を通して直接的に小さな動物を「吸引」し、壁との接触を最小限に抑える。
【０１１１】
第２の逃げ口モジュール８の逃げ口１０より小さい水生動物は、低流速サイド領域１７に沿って低流速のコッドエンド部２から前方に泳ぎ、それらの逃げ口１０から逃げ出すことができる。流線が示すように、モジュールは、第２の逃げ口モジュール８の逃げ口１０の方に小さくひ弱な魚を向かわせるのを更にサポートする半径方向成分を含んでいる。
【０１１２】
図２２および図２３は第２の逃げ口部２４に側方逃げ口２５を有する図２１に示す第２の実施形態の装置２１内の水流を例示している。その実施形態においては、第１の実施形態の装置で見られた流れのパターンに対して９０度に配向された穏やかな再循環流を見ることができる。このパターンは、海面の方へ進む強い本能を持つカマスのような魚を保持するのに役立つ。これらの魚は、他の種が横方向の逃げ口に向かって再循環され、或いは直接掃引され得るのに対して、再循環により装置の最上面に向かって戻される。
【０１１３】
より大きくより強い水生動物は、より大きい逃げ口９、１０に向かって第１の引き伸ばし部モジュール６の中まで、より速い流れの水中を更に前方に泳ぐことができる。それらが所与の逃げ口より小さければ、その動物は逃げ口９、１０を通って装置１から脱出することを決めることができる。
【０１１４】
収穫装置の実施形態において、流れの速度が増す領域は、いくつかの逃げ口９、１０の近くの非常に小さな局所領域に限られる。従って、捕獲された動物は、リラックスしたストレスの低い環境に保持され、強制的に逃げ口９、１０を通されるのではなく、むしろ逃げ口を通って脱出することを選択することができる。逃げ口９、１０より大きな魚または他の生物体は、装置外部の高速流れによって生じる圧力を感知し、逃げ口から離れるように泳いで更に装置の内部に向かう。これは、ネット外側の流れ速度に合わせる試みにおいてネット内部の流れの速度を増加させるためにランプまたは他の特徴を用いている逃げ口に魚を向けようとする、逃げ口機能を有する既存の底引き網ネットとは対照的である。
【０１１５】
コッドエンド２の動物が圧壊されず、それらが低速のコッドエンド内で動き回ることができる低ストレスの状態に保たれることから、それらは、伝統的なネットのコッドエンドの中で罠にかかった魚よりも非常に長い期間、装置１の中に保持される場合がある。これは、この装置１は、伝統的なネットより長い期間、潜った状態で保持されおよび／または牽引される場合があり、捕獲可能な期間を延長することを意味している。例えば、リラックスした損傷のない動物を捕獲する状態を維持しながら、１２時間以上、または数日の間、装置を曳航できる場合がある。初期の捕獲の間に動物が損傷を受けまたはストレスを感じた場合であっても、それらはコッドエンド部の低い流れの中で回復することができる。伝統的なネットを用いてこのような長期間の底引き網漁を行った場合は、極めて損傷が激しく質の落ちた捕獲物しか得られない結果となり得る。
【０１１６】
代替として、この装置１、２１は他の捕獲または水産養殖方法で用いられる場合がある。例えば、一の実施形態の方法では、装置１、２１は、引き伸ばし部３ａの先端をコッドエンド部２の上流として、川のような流水の本体中に配置され、かつ静止した状態で保持される。川の流れが装置１、２１に対する相対的な水流を生じさせる。
【０１１７】
伝統的な引き網漁では、捕獲動物の損傷の多くは動物が強制的にコッドエンドの中に入れられる際に生じる。代替の実施形態の方法では、伝統的な引き網のコッドエンドを本発明に係る装置に置き換えることにより、この装置１、２１は引き網捕獲において用いられる場合がある。収容した動物を収穫するために引き網および取付けられた装置１、２１が巻き取られるにつれて、動物は装置１、２１の中に流入する。その動物は次に、それらが上記の方法のいずれかを用いて装置から回収されるまで、コッドエンド部２において保持される。この技術は、例えば、スコットランドまたはデンマークの引き網漁、或いは例えばナマズを捕獲するための湖での引き網漁のような様々な形の引き網漁に適している。装置のウインチ速度が遅い場合は、装置を開いていておくために装置にフロートが取り付けられる場合がある。
【０１１８】
水生動物が一旦適量に捕えられると、装置の前部３ａに有効に接続されているラインまたはケーブル６１により装置が表面まで持ち上げられる。捕獲された動物を拡張された期間に亘ってコッドエンド部２内に保持できることから、深層から表面への装置の移送はより遅い速度で制御されることができる。これは、減圧損傷および水温変化による損傷を減少させる。伝統的なネットでは、捕獲物をネット内に保持する時間を延長することによって生じる損傷と、表面への迅速な移送時間による損傷をバランスさせなければならない。
【０１１９】
装置１が表面に運ばれるにつれて、逃げ口を通って水が『流出』し、装置の中で更に前方に位置していた捕獲動物がコッドエンドに向かって後方へ移動する。装置の後端が水で満ちているので、満杯の装置が水面に保持されると、伝統的なネットと比べて、動物に対する海面の波による『洗濯』効果が減少する。
【０１２０】
伝統的なネットでは、ネットが表面に持ち上げられるにつれて魚が露出する。損害を受けた動物および捕獲物からの破片は、鳥、アザラシ、アシカ、サメおよびオットセイのような捕食動物およびスカベンジャーを引きつける。本システムでは、装置が捕獲物を被覆してカバーするため、捕獲物が表面に運ばれて船に乗せられる際に捕食動物およびスカベンジャーのために放出される食品は少量となる。捕獲物は水の中に含まれているため、これは捕獲物を本来の場所で処理することを可能にしている。例えば、麻酔法または他の予防治療、例えば寄生虫または海シラミ処理が、水から捕獲物を除去することなく、かつ、船の上に捕獲物を空にする前に、コッドエンド部２に含まれる捕獲物に実行されることがある。
【０１２１】
［代替の実施形態の水生動物収穫装置］
図２４は、上記のような水生動物収穫装置用において用いるための代替の実施形態のコッドエンド１０２を示す。このコッドエンド１０２は、図１乃至図２３におけるコッドエンド２の代わりに用いられる場合がある。
【０１２２】
コッドエンド１０２、ここでは「装置１０２」は、開いた先端１０２ａと実質的に閉じた追従端部１０２ｂを有する本体、並びに開いた先端１０２ａと閉じた追従端１０２ｂとの間に伸びる一つ以上の側壁１０２ｃを備えている。開いた端部１０２ａは、上述されたもののような細長い引き伸ばし部３への、および／またはスイープウイング６３への、および／または曳航海洋船５１への接続のための図１３に示すようなネットの胸部６５へのアタッチメントのために構成される場合がある。
【０１２３】
図示された実施形態において、装置１０２の少なくとも単一または複数の側壁１０２ｃの主要部分（すなわち、大部分）および閉じた端部１０２ｂは実質的に水を通さない。単一または複数の側壁１０２ｃおよび装置の閉じた端部１０２ｂは水を全く通さない場合がある。この壁と閉じた端部はフレキシブルな膜を備えており、そのためこの装置は圧壊した構成と膨張または拡張した構成の間で折り畳みが可能であり、かつ拡張が可能である。装置１０２は膨張した構成で示されている。その壁と閉じた端部は、ＰＶＣまたはリップストップＰＶＣ、帆作成用ファブリック、織式のナイロンエアバッグファブリック、ポリエステルまたはポリエチレン（例えば超高分子量ポリエチレンのようなもの）のような不浸透性の材料を備える場合がある。
【０１２４】
空の装置１０２は、例えば巻き上げられて圧壊状態で、例えばボート上に保管されるのに適している。水の流れが装置の縦軸と実質的に平行になるように装置１０２が水の本体中で牽引されると、内部水圧が装置を自律的に膨張させる。
【０１２５】
装置１０２の壁１０２ｃは、いくらかの水が装置から流れ出ることができるように、または小さな魚が装置から逃げ出すことができるように、数多くの逃げ口または排水孔を備える場合がある。その逃げ口は、開口である場合があり、または圧力下で閉じた封止となるフラップの形である場合がある。加えてまたは代替として、閉じた端部および／または装置の本体１０２ｃは一つ以上の水透過性縫い目を有する場合があり、装置からはいくらかの液体がその縫い目を通って浸出することができる。例えば、その壁１０２ｃは長手方向の継目に沿って一緒に紐で縛られる場合があり、その紐による縛りはいくらかの排水を提供する程度に十分にルーズである場合がある。
【０１２６】
一つの実施形態（図示せず）では、この装置は、複数の逃げ口を有する開いた端部１０２ａに向かう先導部分と、実質的に防水である閉じた端部１０２ｂに向かう追従部とを備える場合がある。
【０１２７】
装置１０２の閉じた端部１０２ｂは、単数または複数の壁１０２ｃを巻き、次いでチェーン縫いによりその壁１０２ｃの外表面の補強材をひもで縛ることにより達成される場合がある。しかしながら、他の封止が可能であり、或いは閉じた追従端は、その追従端の縫い目または開口を通していくらかの水の滲み出しが提供されるように構成される場合がある。装置の膜壁１０２ｃは、図５乃至図９と関連して記述したような内部または外部の補強を備える場合がある。
【０１２８】
装置の本体１０２は、装置の開いた端部１０２ａの位置、またはそこに隣接する位置にテーパ部分１０２ｄを有する。テーパ部１０２ｄは、使用に際して装置が水中で牽引される際に、この装置１０２が膨張するのを支援する。
【０１２９】
図示された膨張した構成において、装置１０２は（テーパ部分１０２ｄを除いて）実質的に円筒状である。装置１０２が膨らむと、装置の壁１０２ｃの対向する面は実質的に平行となる。しかしながら、壁１０２ｃの部分は装置１０２の内圧下で曲がる場合、或いは外へ隆起する（すなわち、部分が内部で凹となる）場合がある。
【０１３０】
この装置１０２は、装置の内部に置かれるバッフル１０３を備えている。このバッフル１０３と側壁１０２ｃのそれぞれの部分は一緒にチャネル１０６を定めている。チャネル１０６は、少なくとも装置の長さの主要部分に沿って伸びる。バッフル１０３は、バッフル１０３の２つの対立したサイドエッジ１０３ｃ、１０３ｄに沿って、装置の側壁１０２ｃに取り付けられる。
【０１３１】
バッフル１０３は、実質的に水を通さないフレキシブルな膜を備える。バッフルは、横方向のおよび／または長手方向の補強を備える場合がある。
【０１３２】
バッフル１０３は、膨張状態と圧壊状態の間で柔軟に移動することができる。図２４乃至図３５には、膨張状態のバッフル１０３が示されている。バッフル１０３は、膨張状態の図２４〜３５に示される。この構成において、バッフル１０３は側壁１０２ｃの各部に対して凹状態であり、チャネル１０６はほぼ楕円形または円形の断面を有する。しかしながら、チャネル１０６は、他の断面形状、またはチャネル１０６の長さに沿って変化する断面形状を有する場合がある。
【０１３３】
膨張した構成において、チャネルの中間領域の横断面を切り取ることで得られるチャネル１０６の断面積Ａ１は、同じ平面を切り取ることで得られる壁１０２ｃによって定義される断面領域の約１／３である。しかしながら、このチャネルは、より大きいまたはより小さい断面積を有する場合がある。
【０１３４】
圧壊状態では、このチャネルは遮断され、および／または、そのチャネル１０６の断面積が著しく減少させられる。例えば、圧壊状態において、バッフルは、それぞれの本体側壁部に対して凸状である場合があり、理想的には装置側壁１０２ｃに対して同じ高さで配置される。
【０１３５】
バッフルは、開いた構成から潰れた構成までのバッフルの動きを支援するために、複数の開口または浸透性部分を備える場合がある。
【０１３６】
チャネル１０６は、装置の開いた端部１０２ａの位置またはその付近にチャネルインレット１０４を、また、その閉じた端部１０２ｂの付近にチャンネルアウトレット１０５を有している。例えば、そのチャンネルアウトレット１０５は、装置本体の閉じた端部１０２ｂに隣接して、或いは実質的にその位置に配置される場合がある。図示された実施形態において、チャネル１０６は、バッフルと装置の壁１０２ｃの間にチャネルインレット１０４とチャンネルアウトレット１０５を定める対向する開いた端部を有する。あるいは、このバッフル１０３は装置１０２の閉じた端部１０２ｃまで伸びる場合があり、また、チャネルアウトレット１０５は閉じた端部１０２ｂ付近のバッフルの領域にあるバッフル１０３内の一つ以上の開口によって提供される。
【０１３７】
図２４乃至図３５に示される実施形態は、残骸がチャンネルアウトレット１０５を通って容易に流し出されるために、掃除が容易であるという利点を有する。バッフル１０３内の数多くの開口によって提供されるチャネルアウトレット１０５を有する実施形態は、広げられた状態において、バッフル１０３が、装置１０２の広げられた追従端１０２ｂにまで、またはそれを越えて実質的に伸びるように造られる場合がある。このバッフルは、バッフル１０３を閉じた端部１０２ｂに連結させるために、コッドエンド部の壁と一緒に巻き上げられる。閉じた端部１０２ｂは、広げられたチャンネルの端部を通る洗浄水によりチャネル１０６を容易に清掃することを可能にするために、非縫合の状態に、または広げられた状態にすることができる。
【０１３８】
図示された実施形態１０２において、閉じた端部１０２ｂの近くのバッフル１０３の末端部分１０３ｂは、膨張状態でチャネル１０６の断面積がチャネルアウトレット１０５に向かって減少するようチャネル１０６の内部にテーパが付くように形成され、および／または側壁１０２ｃに取り付けられる。装置本体１０２の閉じた端部の付近のテーパ部分１０３ｂは、膨張状態の中でバッフル１０３を維持するためにチャネル１０６内に逆圧を提供する。
【０１３９】
開端１０２ａの近くのバッフル１０３の末端部分１０３ａは、更に、膨張状態において装置の開いた端部１０２ａに向かってチャネル１０６の内側にテーパが付くように、任意に形成されおよび／または側壁１０２ｃに取り付けられる。このテーパは、構造を単純化し、かつ開いた端部１０２ａにおける流れ出しを開放する。
【０１４０】
図示される実施形態において、バッフル１０３およびチャネルインレット１０４は、装置１０２の内部に配置される。このインレット１０４は、装置本体の開いた端部１０２ａの遅角で、装置の壁１０２の内側にあり、またそれにより囲まれている。あるいは、バッフルの先端は、開いた端部１０２ａにおいて、または、そこに向けて装置の壁に取り付けられる場合があり、かつ、チャネルインレット１０４は、例えば装置の壁１０２の開口によって装置の側壁に提供される場合がある。
【０１４１】
本装置１０２は、単一のバッフル１０３およびチャネル１０６を備えているが、代替としては、複数のバッフルおよび／またはチャネルを有する場合がある。
【０１４２】
更なる変形例において、バッフルは、例えばバッフルのエッジを装置の壁１０２ｃの外面に取り付けることにより、外部的に提供することができる。このような実施形態において、定められたチャネル１０６からのアウトレットは、装置の壁１０２ｃの一つ以上の開口によって提供される。
【０１４３】
装置１０２の開いた端部１０２ａは、図１乃至図２３を参照して上記の通り説明したような細長い引き伸ばし部に取り付けられる場合がある。代替の実施形態において、コッドエンド装置１０２および／または取付けられたあらゆる引き伸ばし部は、装置が拡大された際に、円形の断面を有するよりむしろ、楕円または多角形構造のような異なる断面構成を有する場合がある。例示としては、引き伸ばし部は、装置が拡大された際に、実質的に正方形、矩形、六角形、または八角形の断面構成を有する場合がある。
【０１４４】
［装置を空にする方法］
図２６乃至図３７は、曳航船５１の上に捕獲された水生動物を装置１０２から抜き取る例示的な方法の工程を示す。
【０１４５】
第１のステップにおいて、この装置１０２は、例えばケーブルを用いてその開いた端部１０２ａ持ち上げる。装置１０２の開いた端部１０２ａが一旦水面に近づくと、装置の開いた端部１０２ａに有効に接続されているケーブルまたはラインによって装置の開いた端部１０２ａが船５１に向けて前方かつ上方に引かれ、装置の開いた端部１０２ａが船５１のデッキの近くに、好ましくは船の後部に配置される。持ち上げられた装置１０２は、水の容積内保持された水生動物を収容している。
【０１４６】
この装置１０２が壁１０２ｃまたは閉じた端部１０２ｂに逃げ口または排水穴、或いは水を通す縫い目を備えていれば、装置が持ち上げられるに連れてそこから水が漏れる。これによれば、水溜りの水生動物を維持して損傷を動物に対する損傷を低減するための水のプールの中に水生動物を維持しつつ、船５１上のリフト装置が取り扱わなければならない重量を都合よく減らすことができる。
【０１４７】
装置１０２の開いた端部１０２ａが（部分的に示されている）引き伸ばし部３および／またはスイープウイングに取り付けられている場合は、引き伸ばし部またはスイープウイングを介して装置１０２が持ち上げられる場合がある。引き伸ばし部および／またはスイープウイングは、曳航船の上方またはその上に持ち上げられ、装置１０２から部分的または完全に取り外され、或いは装置１０２の開いた端部１０２ａにとってじゃまにならない場所に搬送される場合がある。例えば、引き伸ばし部３は、水生動物が装置１０２を空にするべく通過することのできる開口を形成するために、垂直および水平に開くことができ、または「ファスナーを開ける」ことができる。
【０１４８】
第１のステップでは、持ち上げられた装置１０２は、その閉じた端部１０２ｂの上方にその開いた端部１０２ａが位置するように配置される。例えば、図２６および図２７に示すように、その装置１０２は実質的に垂直である場合がある。装置はあるいは図示された状態とは異なる角度に向けられる場合がある。この配置では、装置１０２の下部は未だ水の本体の中に置かれており、部分的に水の本体によって支えられている。
【０１４９】
装置１０２を部分的に水の本体に支持させることとすると、捕獲物と底引き網の全てが一般に海から船のデッキ上方まで持ち上げられる伝統的な底引き網の処理と比較して、船のリフトシステムが取り扱わなければならない荷重を都合よく減らすことができる。これによっても、動物に高いレベルの損傷を与えることなく、コッドエンドの中に保持できる動物の容量を増やすことができる。本方法においては、捕獲物および装置のうち水の本体に残された部分はいくらかの浮力を有し、かつ水の本体によって支持されているため、船のリフトシステムは捕獲物と底引き網装置にいくらかを支持するだけでよい。
【０１５０】
この配置の一つの利点は、船上のリフトシステムが捕獲物の全重量を持ち上げる必要がないため、より小さな船またはより能力の低いリフトギアを搭載する船で、より大きな捕獲容量を取り扱うことが可能となるということである。このため、本願明細書において記載されているシステムを用いることで、小さな船により、より長期の底引き網漁およびより捕獲量の多いプロセスを実行することが可能となる。
【０１５１】
船５１の後部から装置を落とす位置取りによれば、伝統的なシステムと比較して、特にサイドリフティングシステムを用いる船と比較してより優れた安定性を提供することができる。全捕獲物の頭上リフトを排除することにより、船上での安全性の危害を減少させることもできる。
【０１５２】
この配置において、装置１０２に含まれる水によって提供される圧力ヘッドは、装置にいくつかの剛性および安定性を与える。しかしながら、装置１０２の上方部分は、船に対する装置の動きを最小化するために、船５１に対して任意で固定され、あるいは拘束される場合がある。例えば、装置は、船５１に取り付けられたシュートまたはクレイドルの中に保管され、適所に締め付けられ、または、フレキシブルまたはリジッドな適切な継手を介して他の手法で連結される場合がある。
【０１５３】
装置１０２が一旦船５１に対して位置決めされると、船５１上のポンプ１０７が装置１０２に連結される。ポンプ１０７のアウトレット１０８が、チャネルインレット１０４に挿入され、或いは他の方法でチャネルインレット１０４に連結される。
【０１５４】
ポンプアウトレット１０８は、図示の通り、チャネル１０６の中にポンプから下方に水を向かわせるために９０度のエルボー屈曲を有している。ポンプアウトレット１０８は、装置１０２とポンプ１０７の間の相対的な動きを吸収するためにフレキシブルな継手を備える場合がある。
【０１５５】
図２８および図２９は、チャネルインレット１１４が装置１１２の側壁１１２ｃの開口によって提供される代替の実施形態装置１１２を示す。このサイドエントリ配置は、テーパエントリポートにおいて捕えられたノズル１１８を用いて、手動での継手の取り扱いを最小にし、装置１１２がポンプアウトレットノズル１１８上をスライドするのを都合よく可能にする。このような配置は、装置１１２がポンプアウトレットノズル１１８の上に引き上げられ得る特に大きな船に適している場合がある。サイドチャネルインレット１１４は、図３１に示すように、実質的に装置の開いた端部１１２ａの位置に提供される場合があり、あるいは例えば図２８に示すように装置の更に下方に配置される場合がある。上記のサイドチャネルインレット１１４に関する位置決めおよび特徴の記載の他、この実施形態の装置１１２の特徴および機能は装置１０２のものと同じであり、同様の参照番号は、各参照番号に１０を加えることとして同様の部分を示している。
【０１５６】
対照的に、第１の実施形態の装置１０２のトップエントリ配置は、ポンプ継手へのアクセスとその取り扱いが１人か２人の人員で容易に可能である小さな船により適している場合がある。
【０１５７】
図３０および図３１は、フレキシブル継手の配置２０１（図３２および３３）を用いて装置１１２をポンプアウトレット１０８または１１８に連結する方法を示す。この継手２０１は、ＰＶＣ「カーテンサイダー」材料によって製造される結合チューブ２０３を備えている。しかしながら、結合チューブ２０３は、他の適切な材料を備えることができる。この継手は、装置１０２に取り付けられて、チャネルインレット１０４に達する。
【０１５８】
フレキシブルなカラー２０５が、チューブ２０３の一端で結合チューブ２０３に接続している。カムレバー２０７が、枢支されたリンク２０９、２１１を介してフレキシブルなカラー２０５の２つの端に取り付けられている。チューブ２０３をポンプアウトレット栓１０８に連結するために、フレキシブルなカラー２０５がアウトレット１０８を覆って配置され、カラー２０５に張力をかけるためにカムレバー２０７が図３３に示す方向Ｍに回転され、そのカラー２０５が張力のかかった構成にロックされる。
【０１５９】
上記のロック機構は、例えば枢支されたリンク２１１のうちの１つの上のスレッドを用いて調節可能であり、セット・リセットが容易であり、かつバッグの動きがあまりに大きい場合には自動的に解放されるように張力をかけることができる。結合チューブ２０３は、カラー２０５がポンプアウトレット１０８に固定された際に装置１０２の長手方向に対して約９０度となるように構成される場合がある。
【０１６０】
このカラー２０５は、好ましくは、カラー２０５をポンプアウトレット１０８に被せて装着するのが容易な程度に十分に固く、しかし保管のために装置１０２と一緒に巻かれることができる程度に十分フレキシブルなウェビング（ひも材）を備える。
【０１６１】
フレキシブルなカム継手方式２０１は、ギア倉庫およびネットローラーと共存可能な軽量でフレキシブルな結合を提供する。結合チューブ２０３、カラー２０５およびカムレバー２０７は、オペレーションの間、海底または底引き網装置にひっかかるのを防ぐために装置１０２の内部に折り返されることができる。あるいは、結合チューブ２０３、カラー２０５およびカムレバー２０７は、例えばロープで外部的に装置１０２に固定することができる。
【０１６２】
ポンプアウトレット１０８、１１８またはフレキシブルなカラー２０３の一部は、チャネル１０６，１１６を通して装置に水がポンプによって注水される際に、装置の追従する閉じた端部１０２ｂ、１１２ｂに取り入れられる空気量を最小化するために空気が大気中に排気されるのを可能にするべく、一つ以上の開口を備える場合がある。
【０１６３】
装置１０２をポンプアウトレット１０８に固定し、または他の手法で取り付ける方法が想定される。例えば、ポンプ１１７は、ポンプのスタートアップおよび停止時のトルクを減らすために回転防止ラグで結合チューブの中で吊り下げられる場合がある。あるいは、ポンプアウトレットは、結合チューブに強固に取り付けられる場合がある。
【０１６４】
図示される実施形態において、ポンプ１０７、１１７は、ポンプ１０７に水、例えば海水の本体から水を引き込むために構成されるインレット１０９、１１９を有する垂直プロペラポンプである。あるいは、ポンプ１０７、１１７は、他のいかなる適切なポンプである場合もある。ポンプ入口１０９、１１９は、あるいは、水を他のソース、例えば船５１上の給水施設から汲み上げる場合がある。水は未処理である場合があり、または、例えば冷却されている場合がある。
【０１６５】
ポンプが一旦装置１０２、１１２に連結すると、ポンプ１０７、１１７が作動し、ポンプインレット１０９から水を吸引し、ポンプアウトレット１０８からチャネルインレット１０４、１１４を介してチャネル１０６の中に水の流れを分配する。チャネル１０６の中にポンプによって送られた水はバッフル１０３を膨張ポジションに移動させ、チャネルの断面積を増加させる。チャネル１０６の下方のテーパ部分は、存在する場合には、チャネル１０６内の逆圧を増加させることによりこの膨張を助ける場合がある。
【０１６６】
図２５は、装置１０２を通るネットフローＦを例示する。インレット１０４からの水流は、水路１０６を下ってチャネルアウトレット１０５から流出し、閉じた端部１０２ｂに近い装置１０２の内部領域に進行する。導入された水は、このようにして、装置の閉じた端部１０２ｂから装置の内容物に正の水圧を印加する。
【０１６７】
図３４および図３５は、入力（ポンプ出力）流速を２５０リットル／秒とした図２４および図２５に示す装置１０２におけるモデル化された水の特性を示す。この図は、チャネルのテーパ端１０３ｂで水速度が増し、装置１０２の閉じた端部１０２ｂの近くでいくらかの乱気流を引き起こすことを示している。乱気流の量は入力流れの速度が増すことで増加し、魚の方向感覚を喪失させて装置からの流れによってより容易に押し流される状態とすることで装置からの動物の抜き取りを助けることができる。逃げ口の穴が提供された場合、乱気流は小動物の除去をも助ける場合がある。
【０１６８】
ポンプによって提供されチャネル１０６、１１６を通る流れの速度は、チャネル１０６、１１６を膨張させるのに十分であり、チャネルアウトレット１０５から閉じた端部１０２ｂ、１１２ｂ付近の装置の領域に流れ込む流れによって生成される正圧が、水を上流に流させ、流れの矢印Ｆが示すように、装置の開いた端部１０２ａ、１１２ａに向かわせてそこから流出させるのに十分であるように選択される。閉じた端部１０２ｂ、１１２ｂから開いた端部１０２ａ、１１２ａに向かって水が流れる際に、水生動物は、流れによって装置に沿って付勢され少なくとも、いくつかの動物が装置１０２、１１２の開いた端部１０２ａ、１１２ａから運び出される。
【０１６９】
装置１０２が逃げ口、排水孔、または壁１０２ｃ若しくは閉じた端部１０２ｂの裂け目、或いは水を通す縫い目を備えている場合には、ポンプによって装置１０２、１１２内に送られる水の一部はそれらの開口を通って失われる。これは、装置から動物を取り除く点でシステムの効果に必ずしも影響を及ぼすものではない。圧力ヘッドのこのような損失に対処するためには装置に流れ込む水の流れの速度をより高くすることが必要である。ポンプのサイズは、このようなヘッド損失を吸収するように設定される。
【０１７０】
ポンプ１０７、１１７は、好ましくは可変速ポンプである。例えば、ポンプ１０７、１１７は、可変速駆動ユニット（図示せず）によって駆動される場合がある。チャネルインレット１０４、１１４へのポンプアウトレット１０８、１１８からの流れの速度は、特定の単一タイプの種または複数タイプの種の動物を抜き取るために選択または変更される場合がある。より小さい、またはより浮揚性のある動物種を抜き取るためには、低い流速が用いられる場合がある。より大きな動物種を抜き取るためには、より高い流速が用いられる場合がある。水流速度は、プロセスの異なるステージで異なる種を抜き取るために、および／または異なるステージで抽出率を変化させるために、抽出工程の全体にわたって変化する場合がある。これは、種をソートするのに有効である場合がある。
【０１７１】
ポンプ１０７、１１７またはポンプ駆動装置の速度は手操作式である場合があり、および／または、ポンプは自動速度変化のためのコントローラに連結する場合がある。コントローラは、例えば、周期的または連続的にポンプ１０７、１１７の速度を増減し、それによりポンプアウトレット１０８、１１８からの流速を増減するなど、所望の配給シーケンスに従ってポンプ１０７、１１７を作動させるべくプログラムされた電子またはハードウェアのコントローラである場合がある。例えば、ポンプの速度は、空気が装置から排気されるように最初は遅く、その後、処理および選択の速度を合致させるために増加される場合がある。
【０１７２】
水生動物は装置１０２、１１２から海洋船５１に抜き取られるが、代替として、例えば種分け、処理または保管のために他の施設に抜き取られる場合がある。
【０１７３】
図３０に示すように、装置１０２、１１２から抜き取られた水生動物は種分け用のグリルまたは格子２５０の上に運ばれ、グリルまたは格子の開口を通って落下する幼いか、過小であるか、または不必要である動物種が取り出される場合がある。種分け用のグリルまたは格子は、グリルまたは格子を通って落下する動物が、不必要な取扱いの対象とされることなく水の本体の中にまっすぐに戻されるように配列される場合がある。これは、幼く、不必要であり、また過小な動物の生存率を改善する場合がある。
【０１７４】
動物が抜き取られたあと、それらは船５１の上で処理され、また種分けされる場合がある。水生動物の抽出速度は、処理を待って船のデッキ上に置かれている抜き取られた動物が生じ無いまたは最小化される処理速度に合致するように制御される場合がある。
【０１７５】
動物が一旦装置１０２、１１２から抜き取られると、ポンプ１０７、１１７が停止され、装置１０２、１１２の閉じた端部１０２ｂ、１１２ｂが、その閉じた端部１０２ｂまたは開いた端部１０２ａから、水の本体の外に持ち上げられる場合がある。水は、装置１０２、１１２から、あらゆる逃げ口から、および／または装置１０２ａの開いた端部から脱水される。
【０１７６】
次いで保管のため、海洋船５１上のドラム周辺にケーブルおよび装置１０２、１１２が引き寄せられ巻き上げられる。装置１０２、１１２は強固な固い構成要素および強固な格子状の構成要素を何ら備えていないことが望ましい。それは、船上での取扱いまたは装置を単純化し、かつ、この装置が伝統的なネットを扱うための既存の器材を用いて取り扱い得ること、例えば、コンパクトな保管のために船の後部のドラム周辺に巻き上げられること、を意味している。あるいは、この装置は、保管のために折り畳まれ、そうでなければ巻き取られることができる。この保管の容易さは、魚の吸引ポンピングに依存する代替の魚ポンピングシステムの場合と対照的である。それらのシステムでは、ポンピングパイプおよび器材が、しばしば強固で、非常に機械的で、および／または、負のポンプ圧に対処するために大きく、従って、簡単な保管のための底引き網と共に巻き取られ或いは折り畳まれることができない。
【０１７７】
あるいは、この装置は、水生動物を更に収穫するために水本体の中に降ろし戻される場合がある。いくつかの漁業船は、二つの好ましい形の装置を利用して対をなすシステムを作動させる場合がある。第１の装置が空にされて捕獲物がデッキで処理される間に第２の装置が第２の捕獲物を集めるために牽引される場合がある。その後、空の第１の装置は、排出および処理のために第２の装置が持ち上げられるに連れて、更なる捕獲のために降ろされる場合がある。
【０１７８】
装置１０２または１１２を空にする方法のいくつかでは、水生動物の全部または実質的に全部が、装置を通過する液体の流れによって装置１０２、１１２から取り除かれる場合がある。装置１０２または１１２を空にする他の方法では、ポンプ１０７、１１７が作動した後に、いくらかの水生動物が装置内に残されたままとなる場合がある。例えば、これらの残留水生動物は、泳力の強い遠洋魚、揚力のない動物および／または高密度な魚である場合がある。
【０１７９】
それらの他の方法では、装置の開いた端部から装置に含まれる水生動物を輸送するために導入される液体流を用いた後に、装置１０２または１１２の中に残ったあらゆる水生動物のいくらか或いは全てを空にするために、後処理が行われる場合がある。
【０１８０】
例えば、装置１０２（１１２）をその先端１０２ａ、１０２ｂから海洋船上に乗せて、残留水生動物を装置１０２、１１２から引き出すことができる。少なくとも本願明細書において記載されている液体洗浄方法の間、動物の大多数が取り除かれたので、装置１０２、１１２の中には大きな重量が残っていない。装置１０２が船上へ引き上げられるにつれて、装置１０２内の水は残留水生動物を保護し、それにより船との衝撃による水生動物の損傷が最小化される。
【０１８１】
次いで、残留捕獲物が装置の先端１０２ａから空にされる場合がある。あるいは、水生動物が装置１０２の内部から装置の外側に移行するのを可能にするべく装置１０２の追従端１０２ｂを開くことにより、残留捕獲物が空にされる場合がある。このような実施形態において、追従端１０２ｂは、例えば、底引き網漁の間には閉じられ捕獲物の解放のために解放されるジップタイプまたはコード配置のような好適な特徴を備える場合がある。
【０１８２】
この方法の代替の実施形態は、装置の開いた端部１０２ａ、１１２ａからあらゆる残留水生動物の少なくとも一部を排出するために、装置の実質的に閉じた端部１０２ｂ、１１２ｂを持ち上げる工程を備える。図３６および図３７は、水の本体から装置１０２を持ち上げて、液体洗浄プロセス後に曳航船上に残留捕獲物を出して空にする方法のステップを示す。同じ方法は、装置１１２で用いることができる。
【０１８３】
少なくとも一つの後部リフトのライン５５が、装置１０２の後端１０２ｂと、そのラインを巻き入れるためのウインチ、ドラム５３または船上の他の装置とに取り付けられる。装置の後端１０２ｂが上がるにつれて、装置１０２が「折りたたまれ」、残留捕獲物と水が装置１０２の開いた前端から船５１上に流れ出す。図３６および図３７は、装置の後端１０２ｂを持ち上げることにより装置を「折りたたむ」方法を示す。装置の後端１０２ｂは、装置後部が重複して装置前部より垂直に高く配置されるように上方および前方に動かされる。
【０１８４】
装置１０２が水の本体から取り出される際には、伝統的なネットにおけるように側部を通って排水されるよりもむしろ、水は、その水を通さない壁および閉じた端部１０２ｂのため装置１０２の中に保持される場合がある。この水は、装置が水から持ち上げられる際に、残留水生動物が装置の中で泳ぎ続けるのを可能とし、水生動物間の接触および装置の壁との接触を低減し、誘導ストレスを低減する。
【０１８５】
残留捕獲物が空にされる速度は、後部リフトのライン５５が巻き取られる速度を制御することにより制御することができる。これにより捕獲物を安定した制御された状態で解放することが可能となり、装置１０２を、船５１上に流動的に魚を運搬する魚ポンプとして効果的に作動させることが可能となる。船上での処理速度に見合った速度で残留捕獲物をリリースすることが可能であり、それにより、動物が処理を待って船５１のデッキ上に晒される時間が短縮される。
【０１８６】
残留水生動物を空にするためには、装置１０２の全てを水から持ち上げる必要はない。装置１０２の一部を水に保ちながら装置１０２の追従端１０２ｂを持ち上げるだけで、持ち上げられた部分からの静水圧が水の一部および捕獲物の一部を「ポンプ」アウトするために作用する。一度に装置全体を持ち上げる必要がないため、また、水生動物の大多数が、装置の追従端を持ち上げる前に、図２６〜３５を参照して上述した液体洗浄プロセスにより取り除かれているため、用いられるウインチの能力が低くなる場合がある。これにより、より小さな船をより大きな捕獲物のために用い得るという利点が提供される。装置全体の重量の多くが液体洗浄プロセスの間に船の後部に吊り下げられて水中に支持されているため、これは、船上で周辺にはじけ飛ぶ水の自由表面効果をも低減する。
【０１８７】
いくつかの漁船は、二つの好ましい形の装置を利用して対をなすシステムを作動させる場合がある。第１の装置が空にされてデッキ上で捕獲物が処理されている間に、第２の装置は第２の捕獲物を集めるために牽引される場合がある。第２の装置が捕獲物の取り出しと処理のために持ち上げられる際に、次に第１の装置が更なる捕獲物のために降ろされる場合がある。
【０１８８】
図３７に示される最終ステップにおいて、装置の閉じた追従端１０２ｂは、装置の開いた先端マウス１０２ａより上に持ち上げられる。ケーブル５５は完全に巻き入れられ、次いで海洋船５１上のドラム５３周辺に保管するため装置１０２が巻き上げられる。この装置は、好ましくは、いかなる強固な固い構成要素も、或いは斜めまたは強固な格子構成要素も備えていない。それは、機上での取り扱いまたは装置を単純化し、また、この装置が、伝統的なネットを扱うための既存の器材を用いて取り扱い得ること、例えば、コンパクトな保管のために船の後部上のドラム周辺に巻き上げられることを意味している。
【０１８９】
この方法の代替の実施形態は、装置の開いた端部１０２ａ、１１２ａからあらゆる残留水生動物の少なくとも一部を排出するため、少なくとも装置１０２、１１２の実質的に閉じた端部１０２ｂ、１１２ｂにおける反転（すなわち裏返しになる）を備える。例えば、この装置１０２ｂ、１１２ｂは、装置の閉じた端部１０２ｂ、１１２ｂの内部に接続され、装置の内部を通って延び、装置の開いた端部１０２ａ、１１２ａから出る一つ以上のラインを備える場合がある。上記の通りに動物を洗い流すべく液体を導く方法を用いて動物の大多数を装置から取り除いた後に、装置の閉じた端部１０２ｂ、１１２ｂを、装置の端部１０２ａ、１１２ａに向けて、また任意ではそこを通して、移動させるために、そのラインは前方に引かれることができ、少なくとも装置の閉じた端部が反転する。装置の閉じた端部１０２ｂ、１１２ｂの反転は、装置内の液体および残留水生動物を前方に押しやり、その結果、残留水生動物が装置の開いた端部１０２ａ、１１２ａから船上に流出する。その方法は、例えば装置１０２、１１２が図２６または図２８に示される方向にある間に実行されることができる。
【０１９０】
残留水生動物を空にするためのこれらの代用の何れについても、残留動物が水と一緒に船上に空けられるため、水が動物を保護し、それらが空にされる際に動物間の接触を低減される。装置１０２から流れ出す水は、最小の損傷で残留捕獲物を池の中に、或いは直接捕獲に流れ込ませるために用いることができる。
【０１９１】
本願明細書において記載されている装置および方法は、流体の流れを装置に導き、その導かれた流体の流れを、装置に含まれる水生動物を装置の開いた端部から外へ輸送するために用いることにより、装置から水生動物の大多数を取り除く。それは、装置全体を水中から持ち上げるのを要求するよりむしろ、少なくとも水生動物の大多数がその流体の流れを介して装置から取り除かれることを可能にしている。従って、この装置および方法は、装置の容積および捕獲可能なサイズを、海洋船の安定性およびリフト能力から切り離す。
【０１９２】
本発明の好適な実施形態は、例示の手法により記載されていたに過ぎず、いくつかの変更態様は、本発明の技術的範囲を逸脱することなくそれに施される場合がある。
【０１９３】
上記の抽出方法は、代替のバッフル配置、例えば外部バッフルを伴う装置で、同様に用いられる場合がある。あるいは、この方法は、バッフルまたはチャネル配置を伴わない装置で用いられる場合がある。液体または水は、装置の開いた端部に向かう液体の流れを生じさせるために、例えば閉じた端部に近い位置に出口を持つホースを用いて、閉じた端部に近い装置の領域に正圧を印加するために、閉じた端部に近い装置の領域に分配される場合がある。
【０１９４】
上記の方法は、収穫された捕獲物を装置１、２１、１０２、１１２から海洋船５１上に空にすることを説明している。代替としては、その捕獲物は、沖合の保持施設のような代替配給領域、或いは地上の領域上に直接的に空にすることとしてもよい。
【０１９５】
いくつかの実施形態において、この装置は、水生動物を収穫するために本願明細書に記載されているそれらのような装置である。あるいは、この装置は、例えば、水生動物を輸送する装置である場合がある。
【０１９６】
装置１０２、１１２の装置本体に軽量高強度複合材料を用いることで、海洋船の搬送能力または安定性に制限されることのない大捕獲能力を提供するために、非常に大きな装置が用いられる場合がある。水生動物に対して高い水量比率を用いることで、動物と動物の接触および損傷を最小化することができる。
【０１９７】
チャネルを通して装置内に液体を導入することにより水生動物の大多数が装置の開いた端部から取り除かれた後に、装置の中に残留している活発な、泳力の強い水生動物の比率を制御するために、水流の分配、水流速度、装置の容積、および装置の内面塗装（例えば表面に魚を押しつけるメッシュライナ）の一つ以上に変更が施される場合が有る。
【０１９８】
［実験データ］
［水槽トライアル］
上記の方法をテストし検証するために、図２４および図２５に示される装置１０２のスケールモデルを用いて水槽内でのシミュレーションを実行した。モデルは、閉じた端部１０２ｂから開いた端部１０２ａまでの長さＬが約７９４５ｍｍ、直径Ｄが約１４７１ｍｍ、容積が約２．２ｍ３として製造された。このモデルのサイズは、例示的なフルサイズの実施形態に対して約２／３である。
【０１９９】
水タンク試験は、５０，０００Ｌの容量の水槽に入れた１６ｋＷのプロペラポンプを用いて実施された。ポンプは、１秒につき２５０リットルの出力で作動された。ポンプヘッドは１．４５０ｍであり、ポンプ電流は１４．０Ａ（７．９ｋＷ）と２０．２Ａ（１０．５ｋＷ）（利用可能なポンプ電流は３０Ａ）の間とされた。
【０２００】
水生動物をシミュレーションするために、水満たしバルーンと水のビンを用いた。試験では、以下のターゲットを用いた。
・中立浮揚性を示す水満たしバルーン（ｎ＝１０）、平均重量１．６０ｋｇ
・正の浮揚性を示す水満たしバルーン（ｎ＝１０）、平均重量１．４２ｋｇ、約１％の正の浮揚性を示す
・負の浮揚性を示す水満たしビン（ｎ＝６）、平均重量１．６７ｋｇ、約２％の負の浮揚性を示す
【０２０１】
３回を超えるクリアランス試験で、中立および正の浮揚性の試験ターゲットは、水がワーキングヘッドに達してから平均５秒で装置から取り除かれ始めた。最後の中性および正の浮揚性を示す試験ターゲットは、平均３分３２秒で取り除かれた。
【０２０２】
負の揚力を示す試験ビンは、平均時間で１分７秒後に装置から取り除かれ始め、最後の負の揚力を示すターゲットは３分４６秒後であった。
【０２０３】
これらの試験での流れ速度は、ほぼ６０〜８０Ｌ／ｓであった。利用されるポンプは理論的にほぼ２４０〜２６０Ｌ／ｓを提供することができる。従って、この試験における流速は保守的な流れを表している。船がシステムに適応するように設計されれば、従来の真空ポンプシステムと比較して相対的に適度のパワー消費量と潜在的に非常にコンパクトなポンプ足跡とにより、非常に高速なクリアランスが可能である。
【０２０４】
［海洋航行トライアルおよび観察］
図３１に示される装置１１２を底引き網漁装置のコッドエンドとして用いて、海洋航行トライアルおよび海洋航行トライアルの観察をニュージーランドの漁場で実施した。底引き網漁に続いて上記方法を用いて水生動物が装置から空けられ、そこでは水生動物が開いた端部１１２ａから流し出されるように、チャネル１１６を通して水が導かれた。
【０２０５】
この装置がトライアルされる際にデッキにてビデオ撮影が行われた。以下の表における日付はこれらのビデオから転記したものである。装置１１２の開いた端部１１２ａから出てくる「消えた魚の量」と「装置内の残留魚」の量は、相当する魚のケース数の評価に基づいており、ここでは、１ケースの魚がほぼ４０ｋｇの重さである。
【０２０６】
「総捕獲サイズ」は、牽引毎に船長によって記入されるthe Trawl, Catch, Effort and Processing Return (TCEPR)のフォームからの転記である。
【０２０７】
【表１】
2018527006.tif 000003
【０２０８】
【表２】
2018527006.tif 000004
【０２０９】
海洋航行トライアルの間に、装置１１２は良好に作動し、海洋船のデッキ上の仕分けテーブルに優れた状態で魚を流し込む能力を示した。装置１１２の開いた端部１１２ａから洗い流される第１の種は、浮揚性のあるスナッパー（ＳＮＡ）、ホウボウ（ＧＵＲ）、ジョンドリー（ＪＤＯ）およびカマス（ＢＡＲ）であった。
【０２１０】
トライアルの間、チャネル１１６を通って装置１１２に流れ込む水の流れの速度は、海洋船のデッキ上の遠隔制御装置で制御された。ポンプは、毎秒約２５０リットルの最大流れの速度を有するように設計されていた。テーブル上に浮揚性のある魚の安定したオーバフローを提供するには４０％の流れ設定で十分であることが判明した。装置から浮揚力のない魚を洗い流す最善の方法として、流れを短い期間で８０〜１００％に増加し、次いで４０〜５０％に減少するパターンが確立された。
【０２１１】
魚が装置１１２の開いた端部１１２ａから流れ出ることのできる速度は、魚が計測下でゆっくりと流出する約１００ｋｇ／分から、魚が非常に高速で脱出する約１６００ｋｇ／分まで変動することができる。
【０２１２】
第１の航行トライアルの間に、捕獲物は、装置本体の追従端１１２ｂの中に形成される渦に起因して、重量でほぼ１０〜２０％が概して装置１１２の底部内に残留した。第２の航行トライアルの二つでは、残留捕獲物の重量百分率が約２５．４％および２８．１％のより高い値となった。キングフィッシュのような少数の重く泳力の強い魚は、残留捕獲物の重量百分率を上昇させることができる。
【０２１３】
トライアルにおいて、液体洗浄方法の後に装置内に残留している種は、泳力の優れた大洋魚（キングフィッシュ（ＫＩＮ）、トレバリ（ＴＲＥ）、ジャックマケレル（ＪＭＡ））、浮揚力のないＳＮＡ、タラキヒ（ＴＡＲ）および密度の高い魚（スケート／エイ、サメ）であった。装置内に残留した魚は、概して、外部損傷が最小であり強い泳力を有する非常に良好な状態であった。従って、それらは、活魚を必要とする収穫後の応用に特に適している。
【０２１４】
トライアルにおいては捕獲物の一部が液体洗浄方法の後にも装置内に残留していたが、上記の方法の１つを用いることにより、例えば、装置の閉じた端部１１２ｂを持ち上げるか、装置の閉じた端部１１２ｂを逆にするか、または部分的に空になった装置を船上に引き上げ、次いで残留魚を装置から空にすることにより、装置１１２から残留魚を取り除くことができる。
【０２１５】
陸揚げされた捕獲物の容量が１トン未満である場合は、魚の品質が秀逸であり、かつ魚が均一に装置１１２から流出してくることが判明した。トライアルしたサイズの装置において、陸揚げされた捕獲物の容量が１トンよりも大きい場合は、浮揚力のある魚の塊が装置１１２内に形成されて、流れ出るというよりはむしろ１００ｋｇのパルスが出現してくる。魚の品質は、魚と魚の接触のため、捕獲量が多いほど劣化する。しかしながら、より多量の捕獲物であっても、未だ良好な使用可能な品質であった。より多量の捕獲物の魚品質は、より大きな装置１０２、１１２を用いることにより改良され得る。
【図１】
2018527006.tif 000005
【図２】
2018527006.tif 000006
【図３】
2018527006.tif 000007
【図４】
2018527006.tif 000008
【図５】
2018527006.tif 000009
【図６】
2018527006.tif 000010
【図７】
2018527006.tif 000011
【図８】
2018527006.tif 000012
【図９】
2018527006.tif 000013
【図１０】
2018527006.tif 000014
【図１１】
2018527006.tif 000015
【図１２】
2018527006.tif 000016
【図１３】
2018527006.tif 000017
【図１４】
2018527006.tif 000018
【図１５】
2018527006.tif 000019
【図１６】
2018527006.tif 000020
【図１７】
2018527006.tif 000021
【図１８（ｉ）】
2018527006.tif 000022
【図１８（ｉｉ）】
2018527006.tif 000023
【図１８（ｉｉｉ）】
2018527006.tif 000024
【図１８（ｉｖ）】
2018527006.tif 000025
【図１９】
2018527006.tif 000026
【図２０】
2018527006.tif 000027
【図２１】
2018527006.tif 000028
【図２２】
2018527006.tif 000029
【図２３】
2018527006.tif 000030
【図２４】
2018527006.tif 000031
【図２５】
2018527006.tif 000032
【図２６】
2018527006.tif 000033
【図２７】
2018527006.tif 000034
【図２８】
2018527006.tif 000035
【図２９】
2018527006.tif 000036
【図３０】
2018527006.tif 000037
【図３１】
2018527006.tif 000038
【図３２】
2018527006.tif 000039
【図３３】
2018527006.tif 000040
【図３４】
2018527006.tif 000041
【図３５】
2018527006.tif 000042
【図３６】
2018527006.tif 000043
【図３７】
2018527006.tif 000044
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
水生動物を含んでいる装置から水生動物を抜き取る方法であって、その装置は、水生動物が装置に入ってくるための開いた端部を有する本体と、実質的に閉じた端部と、開いた端部と実質的に閉じた端部の間の一つ以上の側壁と、を備え、少なくとも一つ以上の側壁の大部分はフレキシブルな膜を備え、また、少なくとも一つ以上の側壁の大部分と実質的に閉じた端部は実質的に水を通さず、
装置の開いた端部が実質的に閉じた端部よりより高く位置するように当該装置を配置する工程と、
実質的に閉じた端部に近い装置の内側領域に液体の流れを導く工程と、
装置に含まれる水生動物を装置本体の開いた端部から輸送するために、導かれた液体の流れを用いる工程と、を備える水生動物抜き取り方法。
【請求項２】
前記装置は、チャネルインレットとチャネルアウトレットを有するチャネルを定めるバッフルを備え、そのチャネルアウトレットは装置本体の実質的に閉じた端部に近くであり、
前記チャネルインレットを介して液体をチャネルに導入し、それによりチャネルに沿って液体の流れを引き起こす工程を備え、
実質的に閉じた端部に近い装置の内側領域への液体の流れは前記チャネルアウトレットを経由して提供される請求項１に記載の方法。
【請求項３】
前記チャネルインレットは、装置本体の開いた端部の近くに配置される請求項２に記載の方法。
【請求項４】
前記チャネルは、細長いチャネルであり、少なくとも装置本体の主要な長さに沿って伸びている請求項３に記載の方法。
【請求項５】
前記液体は、ポンプから水を前記チャネルインレットにポンピングすることにより前記チャネルインレットに導入される請求項２乃至４の何れか１項に記載の方法。
【請求項６】
前記チャネルインレットは装置本体の内部に配置される請求項５に記載の方法。
【請求項７】
前記チャネルインレットは装置本体の開いた端部内に配置される請求項６に記載の方法。
【請求項８】
装置本体の開いた端部を通して、ポンプからのアウトレットを前記チャネルインレットに挿入する工程および／またはポンプからのアウトレットをチャネルインレットに連結する工程を備える請求項７に記載の方法。
【請求項９】
前記チャネルインレットは、装置の唯一の側壁に、または装置の二つ以上の側壁の一つに備え付けられる請求項５に記載の方法。
【請求項１０】
装置の一の側方から、ポンプからのアウトレットを前記チャネルインレットに挿入する工程および／またはポンプからのアウトレットを装置の前記チャネルインレットに連結する工程を備える場合がある請求項９に記載の方法。
【請求項１１】
水生動物の抽出速度を変化させるため、または抜き取られる水生動物のタイプを制御するために、前記チャネルに流れ込む液体の速度を変化させる工程を備える請求項２乃至１０の何れか１項に記載の方法。
【請求項１２】
実質的に閉じた端部に近い装置の内側領域に導入される液体の流れは、装置の内容物に正圧を印加し、装置の実質的に閉じた端部から開いた端部に向かう液体の最終的な流れを生じさせる請求項１乃至１１の何れか１項に記載の方法。
【請求項１３】
前記装置を配置する工程は、当該装置を実質的に直立した構成に配置する工程を備える請求項１乃至１２の何れか１項に記載の方法。
【請求項１４】
装置の動きを減らすために、装置内に液体の流れを導くのに先立って、装置または装置の一部を固定または拘束する工程を備える請求項１乃至１３の何れか１項に記載の装置。
【請求項１５】
水生動物を収穫する方法であって、
開いた端部を有する本体と、実質的に閉じた端部と、開いた端部と実質的に閉じた端部の間の一つ以上の側壁と、を備える装置を提供する工程を備え、少なくとも一つ以上の側壁の大部分はフレキシブルな膜を備え、かつ、少なくとも一つ以上の側壁の大部分および実質的に閉じた端部は実質的に水を通さず、当該装置は水生動物を収穫するための装置のコッドエンド部分を少なくとも形成し、
収穫装置を水の本体に浸漬し、収穫装置に関して相対的な水流が生ずるように前記収穫装置を位置決めし、および／または移動させる工程と、
装置内の水生動物のために緩慢な低流速の環境を提供しつつ、収穫装置内の水生動物を捕獲する工程と、
水溜りの中で、装置のコッドエンド部分内に水生動物を維持しながら収穫装置を持ち上げる工程と、
次いで、請求項１乃至１４の何れか１項に記載の方法を用いて動物を抜き取る工程と、
を備える水生動物収穫方法。
【請求項１６】
請求項１乃至１５の何れかに記載の方法と共に用いる装置であって、
水生動物が装置に入ってくるための開いた端部を有する本体と、実質的に閉じた端部と、開いた端部と実質的に閉じた端部の間の一つ以上の側壁と、
チャネルインレットとチャネルアウトレットを有するチャネルを定めるバッフルと、を備え、前記チャネルアウトレットは前記チャネルインレットより、装置本体の実質的に閉じた端部のより近くに配置され、前記チャネルは、導かれた液体の流れが装置に含まれる水生動物を、使用中の装置本体の開いた端部から運び出すように、前記チャネルアウトレットを通して装置本体の実質的に閉じた端部に近い装置本体内に液体の流れを導くため配置される装置。
【請求項１７】
少なくともバッフルの大部分は実質的に水を通さないフレキシブルな膜を備える請求項１６に記載の装置。
【請求項１８】
前記バッフルは、装置本体の内部に配置される請求項１６または１７に記載の装置。
【請求項１９】
前記バッフルは、前記本体の一つ以上の壁に固定される請求項１６または１７に記載の装置。
【請求項２０】
前記バッフルは、膨張状態と潰れた状態との間で移動可能である請求項１６乃至１９の何れか１項に記載の装置。
【請求項２１】
前記チャネルの断面積は、バッフルが潰れた状態にある場合よりバッフルが膨張状態にある場合の方が大きい請求項２０に記載の装置。
【請求項２２】
前記潰れた状態において、前記バッフルは、本体の一つ以上の側壁の夫々に対向して配置される請求項２０または２１に記載の装置。
【請求項２３】
前記膨張状態では前記バッフルが本体の一以上の側壁の夫々に対して凹であり、また、前記潰れた状態では前記バッフルが本体の一以上の側壁の夫々に対して凸である請求項２０乃至２２の何れか１項に記載の装置。
【請求項２４】
前記バッフルは、当該バッフルが膨張状態から潰れた状態まで動作するのを助けるために複数の開口または水を通す部分を備えている請求項２０乃至２３の何れか１項に記載の装置。
【請求項２５】
前記バッフルおよび／または前記チャネルは、前記チャネルアウトレットにおいて、またはそこに向けて内向きのテーパ状となっている請求項１６乃至２４の何れか１項に記載の装置。
【請求項２６】
前記チャネルアウトレットに近いテーパ部分は、膨張状態のバッフルを維持するためにチャネル内の逆圧を増加させるように構成されている請求項２５に記載の装置。
【請求項２７】
前記チャネルインレットは、装置本体の内部に備え付けられる請求項１６乃至２６の何れか１項に記載の装置。
【請求項２８】
前記チャネルインレットは、装置本体の開いた端部の中に備え付けられる請求項２７に記載の装置。
【請求項２９】
前記チャネルインレットは、装置の側部に備え付けられる請求項１６乃至２６の何れか１項に記載の装置。
【請求項３０】
前記チャネルインレットは、ポンプアウトレットを受け、またはそこに接続するために構成される請求項１６乃至２９の何れか１項に記載の装置。
【請求項３１】
装置本体に取り付けられる細長い引き伸ばし部を更に備え、当該引き伸ばし部は、先端と、追従端と、先端と追従端の間の一つ以上の側壁とを有し、一つ以上の側壁の少なくとも大部分は、実質的に水通さないフレキシブルな膜を備え、かつ、前記引き伸ばし部の追従端は、装置本体の開いた端部に有効に接続している請求項１６乃至３０の何れか１項に記載の装置。
【請求項３２】
前記長い引き伸ばし部は、装置が水の本体に浸漬され、装置について相対的な水の流れが存在する場合に、当該細長い引き伸ばし部の先端から装置本体の実質的に閉じた端部に向かって装置内部に水の流速の一般的な減少を引き起こすために、装置の内部から装置の外側に水を通過させるための複数の逃げ口を有する請求項３１に記載の装置。
【手続補正２】
【補正対象書類名】明細書
【補正対象項目名】００１０
【補正方法】変更
【補正の内容】
【００１０】
第１の態様において、本発明は、水生動物を含んでいる装置から水生動物を抜き取る方法に広く存在する。その装置は、水生動物が装置に入ってくるための開いた端部を有する本体と、実質的に閉じた端部と、開いた端部と実質的に閉じた端部の間の一つ以上の側壁と、を備える。少なくとも一つ以上の側壁の大部分はフレキシブルな膜を備え、また、少なくとも一つ以上の側壁の大部分と実質的に閉じた端部は実質的に水を通さない。その方法は、装置の開いた端部が実質的に閉じた端部よりより高く位置するように当該装置を配置する工程と、実質的に閉じた端部に近い装置の内側領域に液体の流れを導く工程と、装置に含まれる水生動物を装置本体の開いた端部から輸送するために導かれた液体の流れを用いる工程と、を備える。
【手続補正３】
【補正対象書類名】明細書
【補正対象項目名】００２４
【補正方法】変更
【補正の内容】
【００２４】
第２の態様において、本発明は、上記の方法を用いる装置に広く存在している。その装置は、水生動物が装置に入ってくるための開いた端部を有する本体と、実質的に閉じた端部と、開いた端部と実質的に閉じた端部の間の一つ以上の側壁と、を備える。少なくとも一つ以上の側壁の大部分はフレキシブルな膜を備えており、一つ以上の側壁の少なくとも大部分および実質的に閉じた端部は実質的に水を通さない。その装置は、チャネルインレットとチャネルアウトレットを有するチャネルを定めるバッフルを更に備え、チャネルアウトレットはチャネルインレットより、装置本体の実質的に閉じた端部のより近くに配置され、チャネルは、導かれた液体の流れが装置に含まれる水生動物を、使用中の装置本体の開いた端部から運び出すように、チャネルアウトレットを通して装置本体の実質的に閉じた端部に近い装置本体内に液体の流れを導くため配置される。
【国際調査報告】
2018527006.tif 000045
2018527006.tif 000046
2018527006.tif 000047
2018527006.tif 000048